(57)【要約】      （修正有）【課題】ユーザが煩雑な通信手順設定を行わないで、簡単で直感的に画像フォルダを送信できる簡易型データ無線送受信システムを提供する。【解決手段】ユーザは、第１回目送信操作として携帯電子装置２の送信アイコンをタッチし、第２回目送信操作としてＩＣカード３を携帯電子装置２に近接タッチする。ＣＰＵは、Ｗｉ−Ｆｉ基礎接続データ２５及びＷｉ−Ｆｉ通信接続条件データ２６を生成する。ＣＰＵは、簡単伝送ＳＳＩＤの有無を検知してアクセスポイント指定を行う。ユーザが第３回目送信操作として、ＩＣカード３で据置電子装置４を近接タッチすると、ＣＰＵはクライアント設定を行う。ＣＰＵは、第４回目送信操作が行われると画像フォルダを送信する。これにより、ユーザは、簡単かつ直感的な操作により、携帯電子装置２から据置電子装置４へ所望のデータを極めて容易に送信することができる。【選択図】図１
2013031144.tif 000002
【特許請求の範囲】
【請求項１】
第１電子装置と第２電子装置からなる複数の電子装置の間で、Ｗｉ−Ｆｉインフラストラクチャモードの無線通信方式により電子データを送受信する簡易操作型無線データ送受信システムにおいて、
前記電子装置は、ユーザの操作を検出するユーザ操作検出部と、電子データを記憶するデータ記憶部と、前記電子データのタイトル又は該電子データに関連付けられたアイコンを表示するデータ表示部と、装置全体を制御する制御部と、装置全体を制御する制御プログラムを記憶する主記憶部と、無線により該電子データを送受信するＷｉ−Ｆｉ無線送受信部と、前記第１電子装置及び前記第２電子装置で共通に使用されるＷｉ−Ｆｉ基礎接続データ又はＷｉ−Ｆｉ通信接続条件データを受信する近接通信データリーダ／ライタ部と、を備え、
前記第２電子装置の前記Ｗｉ−Ｆｉ無線送受信部は、前記Ｗｉ−Ｆｉ通信接続条件データに含まれる無線ネットワーク識別子（ＳＳＩＤ）を前記第１電子装置に対して発信し、
前記第１電子装置の前記Ｗｉ−Ｆｉ無線送受信部は、前記無線ネットワーク識別子を受信し、前記第２電子装置をクライアント装置に指定するためのクライアントＩＰアドレスを、該第２電子装置に発信し、
前記電子装置の前記ユーザ操作検出部は、前記データ表示部に表示された前記タイトル又は前記アイコンがユーザによって選択される操作と、該タイトル又は該アイコンに関連付けられた前記電子データを送信する送信操作とが実行されたことを検出し、
前記電子装置の制御部は、前記ユーザ操作検出部が前記選択操作及び前記送信操作を検出したことに応じて、前記Ｗｉ−Ｆｉ無線送受信部に前記電子データを送受信させることを特徴とする簡易操作型無線データ送受信システム。
【請求項２】
前記制御部は、前記Ｗｉ−Ｆｉ無線送受信部が前記無線ネットワーク識別子を受信したか否かを検知し、該Ｗｉ−Ｆｉ無線送受信部が所定時間内に該無線ネットワーク識別子を検知しなかったことに応じて、該電子装置をアクセスポイント装置に指定することを特徴とする請求項１に記載の簡易操作型無線データ送受信システム。
【請求項３】
ＮＦＣ・ＩＤデータを記憶するＩＣカードをさらに備え、
前記ＩＣカードは、前記第１電子装置及び前記第２電子装置から分離された単体として形成されるか、該第１電子装置又は該第２電子装置と一体に形成され、
前記近接通信データリーダ／ライタ部は、前記ＩＣカードが近接させられたことに応じて、該ＩＣカードからＮＦＣ・ＩＤデータを取得し、
前記制御部は、前記近接通信データリーダ／ライタ部が取得した該ＮＦＣ・ＩＤデータに基づいて前記Ｗｉ−Ｆｉ通信接続条件データを生成することを特徴とする請求項１に記載の簡易操作型無線データ送受信システム。
【請求項４】
前記ユーザ操作検出部は、前記電子装置が動かされたことによる加速度を検知して加速度出力信号を出力する加速度センサをさらに備え、
前記制御部は、前記加速度センサによって出力された前記加速度出力信号の振幅値、該加速度出力信号が出力された回数、又は該加速度出力信号が出力された時間間隔に基づいて、前記Ｗｉ−Ｆｉ無線送受信部に前記電子データを送信させることを特徴とする請求項１に記載の簡易操作型無線データ送受信システム。
【請求項５】
前記ユーザ操作検出部は、ユーザが発声する音を検知するマイクと、該音を検知して音声出力信号若しくは音声記号として出力し、又は該音についての声紋を認識する音声処理部とをさらに備え、
前記制御部は、前記音声処理部によって出力された前記音声出力信号の波形若しくは周波数、又は前記音声記号若しくは前記声紋に基づいて、前記Ｗｉ−Ｆｉ無線送受信部に前記電子データを送信させることを特徴とする請求項１に記載の簡易操作型無線データ送受信システム。
【請求項６】
前記電子装置は、前記Ｗｉ−Ｆｉ通信接続条件データを記憶するＮＦＣデータ記憶部を具備するＩＣカードをさらに備え、
前記第１電子装置の前記制御部は、該第１電子装置に対して、電源を供給するための操作、前記電子データを送受信するための操作、又は該第１電子装置をアクセスポイント装置に指定する操作のいずれかが実行されたことに応じて、該第１電子装置をアクセスポイント装置に指定し、
前記第２電子装置の前記近接通信データリーダ／ライタ部は、前記第１電子装置のＮＦＣデータ記憶部に記憶された前記Ｗｉ−Ｆｉ通信接続条件データを受信することを特徴とする請求項１に記載の簡易操作型無線データ送受信システム。
【請求項７】
前記電子装置として、第３電子装置をさらに備え、
前記第１電子装置乃至前記第３電子装置は、前記Ｗｉ−Ｆｉ通信接続条件データを記憶するＮＦＣデータ記憶部を具備するＩＣカードを備え、
前記第３電子装置の前記近接通信データリーダ／ライタ部は、前記第１電子装置のＮＦＣデータ記憶部に記憶された前記Ｗｉ−Ｆｉ通信接続条件データを受信し、
前記第２電子装置の前記近接通信データリーダ／ライタ部は、前記第３電子装置の前記ＮＦＣデータ記憶部に記憶された前記Ｗｉ−Ｆｉ通信接続条件データを受信することを特徴とする請求項１に記載の簡易操作型無線データ送受信システム。
【請求項８】
第１コンピュータと第２コンピュータからなる複数のコンピュータ間で、Ｗｉ−Ｆｉインフラストラクチャモードの無線通信方式により電子データを送受信する簡易操作型無線データ送受信プログラムにおいて、
前記コンピュータは、ユーザの操作を検出するユーザ操作検出部と、電子データを記憶するデータ記憶部と、前記電子データのタイトル又はアイコンを表示するデータ表示部と、装置全体を制御する制御部と、装置全体を制御する制御プログラムを記憶する主記憶部と、無線により該電子データを送受信するＷｉ−Ｆｉ無線送受信部と、前記第１コンピュータ及び前記第２コンピュータで共通に使用されるＷｉ−Ｆｉ基礎接続データ又はＷｉ−Ｆｉ通信接続条件データを受信する近接通信データリーダ／ライタ部と、を備え、
前記第２コンピュータの前記制御部に、
該第２コンピュータの前記Ｗｉ−Ｆｉ無線送受信部に、前記Ｗｉ−Ｆｉ通信接続条件データに含まれる無線ネットワーク識別子（ＳＳＩＤ）を該第１コンピュータに対して発信させるステップと、
前記第１コンピュータの前記制御部に、
該第１コンピュータの前記Ｗｉ−Ｆｉ無線送受信部に、前記無線ネットワーク識別子を受信させ、前記第２コンピュータをクライアントコンピュータに指定するためのクライアントＩＰアドレスを、該第２コンピュータに発信させるステップと、
前記コンピュータの前記制御部に、
ユーザ操作検出部に、前記データ表示部に表示された前記タイトル又は前記アイコンがユーザによって選択される操作と、該タイトル又は該アイコンに関連付けられた前記電子データを送信する送信操作とが実行されたことを検出させるステップと、
前記ユーザ操作検出部が前記選択操作及び前記送信操作を検出したことに応じて、前記Ｗｉ−Ｆｉ無線送受信部に前記電子データを送受信させるステップと、をコンピュータに実行させることを特徴とする簡易操作型無線データ送受信プログラム。
【請求項９】
前記制御部に、前記Ｗｉ−Ｆｉ無線送受信部が前記無線ネットワーク識別子を受信したか否かを検知させ、該Ｗｉ−Ｆｉ無線送受信部が所定時間内に該無線ネットワーク識別子を検知しなかったことに応じて、該コンピュータをアクセスポイント装置に指定させるステップをコンピュータに実行させることを特徴とする請求項８に記載の簡易操作型無線データ送受信プログラム。
【請求項１０】
前記第１コンピュータ及び前記第２コンピュータから分離されて形成されたＮＦＣ・ＩＤデータを記憶するＩＣカード、又は前記第１コンピュータ又は前記第２コンピュータと一体に形成された該ＩＣカードが前記近接通信データリーダ／ライタ部に近接させられたことに応じて、
前記制御部に、
前記近接通信データリーダ／ライタ部に前記ＩＣカードからＮＦＣ・ＩＤデータを取得させるステップと、
前記近接通信データリーダ／ライタ部が取得した該ＮＦＣ・ＩＤデータに基づいて前記Ｗｉ−Ｆｉ通信接続条件データを生成するステップと、をコンピュータに実行させることを特徴とする請求項８に記載の簡易操作型無線データ送受信プログラム。
【請求項１１】
前記ユーザ操作検出部は、前記コンピュータが動かされたことによる加速度を検知して加速度出力信号を出力する加速度センサをさらに備え、
前記制御部に、前記加速度センサによって出力された前記加速度出力信号の振幅値、該加速度出力信号が出力された回数、又は該加速度出力信号が出力された時間間隔に基づいて、前記Ｗｉ−Ｆｉ無線送受信部に前記電子データを送信させるステップをコンピュータに実行させることを特徴とする請求項８に記載の簡易操作型無線データ送受信プログラム。
【請求項１２】
前記ユーザ操作検出部は、ユーザが発声する音を検知するマイクと、該音を検知して音声出力信号若しくは音声記号として出力し、又は該音についての声紋を認識する音声処理部とをさらに備え、
前記制御部に、前記音声処理部によって出力された前記音声出力信号の波形若しくは周波数、又は前記音声記号若しくは前記声紋に基づいて、前記Ｗｉ−Ｆｉ無線送受信部に前記電子データを送信させるステップをコンピュータに実行させることを特徴とする請求項８に記載の簡易操作型無線データ送受信プログラム。
【請求項１３】
前記コンピュータは、前記Ｗｉ−Ｆｉ通信接続条件データを記憶するＮＦＣデータ記憶部を具備するＩＣカードをさらに備え、
前記第１コンピュータの前記制御部に、該第１コンピュータに対して、電源を供給するための操作、前記電子データを送受信するための操作、又は該第１コンピュータをアクセスポイント装置に指定する操作のいずれかが実行されたことに応じて、該第１コンピュータをアクセスポイント装置に指定させるステップと、
前記第２コンピュータの前記制御部に、該第２コンピュータの前記近接通信データリーダ／ライタ部に、前記第１コンピュータのＮＦＣデータ記憶部に記憶された前記Ｗｉ−Ｆｉ通信接続条件データを受信させるステップと、をコンピュータに実行させることを特徴とする請求項８に記載の簡易操作型無線データ送受信プログラム。
【請求項１４】
前記コンピュータとして、第３コンピュータをさらに備え、
前記第１コンピュータ乃至前記第３コンピュータは、前記Ｗｉ−Ｆｉ通信接続条件データを記憶するＮＦＣデータ記憶部を具備するＩＣカードを備え、
前記第３コンピュータの前記制御部に、該第３コンピュータの前記近接通信データリーダ／ライタ部に、前記第１コンピュータのＮＦＣデータ記憶部に記憶された前記Ｗｉ−Ｆｉ通信接続条件データを受信させるステップと、
前記第２コンピュータの前記制御部に、該第２コンピュータの前記近接通信データリーダ／ライタ部に、前記第３コンピュータの前記ＮＦＣデータ記憶部に記憶された前記Ｗｉ−Ｆｉ通信接続条件データを受信させるステップと、をコンピュータに実行させることを特徴とする請求項８に記載の簡易操作型無線データ送受信プログラム。
【発明の詳細な説明】
【技術分野】
【０００１】
本発明は、ユーザ操作検出部、データ記憶部、主記憶部、制御部及び無線送受信部を有する複数の電子装置間でデータを、安全、かつ判りやすい簡単な操作で無線送受信することができる簡易操作型無線データ送受信システムに関する。
【背景技術】
【０００２】
近年、使いやすいタッチパネルを主要な操作信号入力手段とする携帯電話、デジタルカメラ、携帯ゲーム機、ノートパソコン、タブレットパソコン等の携帯電子装置が急速に普及し、これらの電子装置間でデータが無線で送受信される場合が増加している。また、ユーザが、タッチパネルの他に、加速度センサ、音声認識装置、近接通信装置等のユーザ動作を検出する各種の操作入力手段を利用することにより、複雑なキー操作やメニュー選択操作をせず、直感的な簡単操作でデータを他の機器へ伝送することができる電子装置が提案されている。
【０００３】
例えば、携帯端末から電子掲示板にデータを転送する際、画面上の外縁部にデータアイコンをドラッグアンドドロップすることでデータを転送する技術が知られている（特許文献１参照）。
【０００４】
また、例えば、２台の携帯電子装置に、それぞれ第１通信部（近接通信部）と第２通信部（ＢＴ通信部）の２種類の通信手段を持たせ、第１通信部から第２通信部へ切り替えてデータを送受信することによる無線通信方法が提案されている（特許文献２参照）。
【０００５】
さらに、例えば、２台の携帯電子装置をお互いにぶつけることによるショック（Ｂｕｍｐ）をセンサに検知させることにより、データを送信する技術が知られている（非特許文献１参照）。
【０００６】
しかしながら、特許文献１に示される技術においては、画面上にあるデータアイコンをドラッグするものであり、画面の小さい携帯電子装置においては、誤って多数のデータアイコンを同時にドラッグしてしまう問題があった。
【０００７】
また、特許文献２に示される技術においては、近接通信での相互データの交換の後、広帯域無線通信へ切り替え要求応答するなど複雑な通信手順を必要とする問題があった。
【０００８】
また、非特許文献１に示される技術においては、２台の携帯電子装置をぶつけることから近接して使用せざるを得ないため、２台の携帯電子装置が遠く離れている場所や３台以上の携帯電子装置に対しては、データを送信できないという問題があった。
【０００９】
さらに、特許文献１及び２並びに非特許文献１に示される技術においては、ユーザにとって煩雑な通信接続条件の設定入力が必要となるため、送信から受信までの総合的な簡単操作が実現できないという問題があった。
【先行技術文献】
【特許文献】
【００１０】
【特許文献１】特開２００８−２５７４４２号公報
【特許文献２】特開２００８−１６０８５６号公報
【非特許文献】
【００１１】
【非特許文献１】“ｂｕｍｐ  ＴＥＣＨＮＯＬＯＧＩＥＳ”[平成２３年７月１５日検索]、インターネット＜ＵＲＬ：ｈｔｔｐ：／ｂｕ．ｍｐ／ｆａｑ＞
【発明の概要】
【発明が解決しようとする課題】
【００１２】
本発明は、上記の問題を解決するためになされたものであり、無線ネットワークで結ばれた複数の電子機器間でデータを伝送する際、ユーザが操作回数の少ない判りやすい直感操作で、安全確実にデータを送信することができるデータ送受信システムを提供することを目的とする。
【課題を解決するための手段】
【００１３】
上記の目的を達成するために本発明は、第１電子装置と第２電子装置からなる複数の電子装置の間で、Ｗｉ−Ｆｉインフラストラクチャモードの無線通信方式により電子データを送受信する簡易操作型無線データ送受信システムにおいて、電子装置は、ユーザの操作を検出するユーザ操作検出部と、電子データを記憶するデータ記憶部と、電子データのタイトル又は電子データに関連付けられたアイコンを表示するデータ表示部と、装置全体を制御する制御部と、装置全体を制御する制御プログラムを記憶する主記憶部と、無線により電子データを送受信するＷｉ−Ｆｉ無線送受信部と、第１電子装置及び第２電子装置で共通に使用されるＷｉ−Ｆｉ基礎接続データ又はＷｉ−Ｆｉ通信接続条件データを受信する近接通信データリーダ／ライタ部と、を備え、第２電子装置のＷｉ−Ｆｉ無線送受信部は、Ｗｉ−Ｆｉ通信接続条件データに含まれる無線ネットワーク識別子（ＳＳＩＤ）を第１電子装置に対して発信し、第１電子装置のＷｉ−Ｆｉ無線送受信部は、無線ネットワーク識別子を受信し、第２電子装置をクライアント装置に指定するためのクライアントＩＰアドレスを、第２電子装置に発信し、電子装置のユーザ操作検出部は、データ表示部に表示されたタイトル又はアイコンがユーザによって選択される操作と、タイトル又はアイコンに関連付けられた電子データを送信する送信操作とが実行されたことを検出し、電子装置の制御部は、ユーザ操作検出部が選択操作及び送信操作を検出したことに応じて、Ｗｉ−Ｆｉ無線送受信部に電子データを送受信させる。
【００１４】
本発明によれば、ユーザが第１電子装置と第２の電子装置間で電子データの送受信操作を行う際、制御部は、近接通信リーダ/ライタで取得したＳＳＩＤを使用してＷｉ−Ｆｉネットワークのクライアント設定を自動的に行う。また、ユーザ操作検出部が送信されるべき電子データの選択操作と送信操作を検知したこと応じて、電子データは送受信される。これにより、ユーザは、パスワード入力等の煩雑な通信条件を設定することなく、操作回数が極めて少なく、装置を近接させる簡単かつ直感的な操作で、安全に電子データを送受信することができる。
【００１５】
また、本発明は、上述の改良された発明において、制御部は、Ｗｉ−Ｆｉ無線送受信部が無線ネットワーク識別子を受信したか否かを検知し、Ｗｉ−Ｆｉ無線送受信部が所定時間内に無線ネットワーク識別子を検知しなかったことに応じて、電子装置をアクセスポイント装置に指定する。
【００１６】
本発明によれば、電子装置の制御部は、ＳＳＩＤの存在の有無を検知して、電子装置に対してアクセスポイントの指定を行う。これにより、多数の電子装置の中で、最初にシステムを起動した電子装置をアクセスポイント装置に設定することができ、ネットワークシステムに混乱が生じすることを回避することができる。
【００１７】
また、本発明は、上述の改良された発明において、ＮＦＣ・ＩＤデータを記憶するＩＣカードをさらに備え、ＩＣカードは、第１電子装置及び第２電子装置から分離された単体として形成されるか、第１電子装置又は第２電子装置と一体に形成され、近接通信データリーダ／ライタ部は、ＩＣカードが近接させられたことに応じて、ＩＣカードからＮＦＣ・ＩＤデータを取得し、制御部は、近接通信データリーダ／ライタ部が取得したＮＦＣ・ＩＤデータに基づいてＷｉ−Ｆｉ通信接続条件データを生成する。
【００１８】
本発明によれば、ユーザがＩＣカードを電子装置に近づけることにより、電子装置は、自動的にＷｉ−Ｆｉ無線ネットワークに接続することができる。
【００１９】
また、本発明は、上述の改良された発明において、ユーザ操作検出部は、電子装置が動かされたことによる加速度を検知して加速度出力信号を出力する加速度センサをさらに備え、制御部は、加速度センサによって出力された加速度出力信号の振幅値、加速度出力信号が出力された回数、又は加速度出力信号が出力された時間間隔に基づいて、Ｗｉ−Ｆｉ無線送受信部に電子データを送信させる。
【００２０】
本発明によれば、電子装置は、送信操作時に振り動かすように振動させられる。ユーザは、電子装置を振動させるか又は投げるような簡単かつ直感的な操作で、アクセスポイント装置とクライアント装置の間で電子データを送受信させることができる。
【００２１】
また、本発明は、上述の改良された発明において、ユーザ操作検出部は、ユーザが発声する音を検知するマイクと、音を検知して音声出力信号若しくは音声記号として出力し、又は音についての声紋を認識する音声処理部とをさらに備え、制御部は、音声処理部によって出力された音声出力信号の波形若しくは周波数、又は音声記号若しくは声紋に基づいて、Ｗｉ−Ｆｉ無線送受信部に電子データを送信させる。
【００２２】
本発明によれば、ユーザによって、電子装置のマイクに音が発声される。これにより、ユーザは、電子装置のマイクに向かって送信操作時に発声するだけでアクセスポイント装置とクライアント装置の間で電子データを送受信させることができる。
【００２３】
また、本発明は、上述の改良された発明において、電子装置は、Ｗｉ−Ｆｉ通信接続条件データを記憶するＮＦＣデータ記憶部を具備するＩＣカードをさらに備え、第１電子装置の制御部は、第１電子装置に対して、電源を供給するための操作、電子データを送受信するための操作、又は第１電子装置をアクセスポイント装置に指定する操作のいずれかが実行されたことに応じて、第１電子装置をアクセスポイント装置に指定し、第２電子装置の近接通信データリーダ／ライタ部は、第１電子装置のＮＦＣデータ記憶部に記憶されたＷｉ−Ｆｉ通信接続条件データを受信する。
【００２４】
本発明によれば、ユーザの意志によって、第１電子装置がアクセスポイントに設定された場合、第１電子装置に近接させられた第２電子装置は、近接通信データリーダ／ライタ部によって第１電子装置のＮＦＣデータ記憶部にあるＷｉ−Ｆｉ通信接続条件データを自動的に受信する。これにより、ユーザは、簡単にアクセスポイント装置及びクライアント装置の設定を行うことができる。
【００２５】
また、本発明は、上述の改良された発明において、電子装置として、第３電子装置をさらに備え、第１電子装置乃至第３電子装置は、Ｗｉ−Ｆｉ通信接続条件データを記憶するＮＦＣデータ記憶部を具備するＩＣカードを備え、第３電子装置の近接通信データリーダ／ライタ部は、第１電子装置のＮＦＣデータ記憶部に記憶されたＷｉ−Ｆｉ通信接続条件データを受信し、第２電子装置の近接通信データリーダ／ライタ部は、第３電子装置のＮＦＣデータ記憶部に記憶されたＷｉ−Ｆｉ通信接続条件データを受信する。
【００２６】
本発明によれば、第３電子装置の制御部は、近接通信によって第１電子装置に記憶されているＷｉ−Ｆｉ通信条件データを第２電子装置に受信させる。ユーザはバトンタッチのような感覚で、第１電子装置及び第２電子装置間のデータの送受信を行うことができる。
【００２７】
また、本発明は、上述の改良された発明において、第１コンピュータと第２コンピュータからなる複数のコンピュータ間で、Ｗｉ−Ｆｉインフラストラクチャモードの無線通信方式により電子データを送受信する簡易操作型無線データ送受信プログラムにおいて、コンピュータは、ユーザの操作を検出するユーザ操作検出部と、電子データを記憶するデータ記憶部と、電子データのタイトル又はアイコンを表示するデータ表示部と、装置全体を制御する制御部と、装置全体を制御する制御プログラムを記憶する主記憶部と、無線により電子データを送受信するＷｉ−Ｆｉ無線送受信部と、第１コンピュータ及び第２コンピュータで共通に使用されるＷｉ−Ｆｉ基礎接続データ又はＷｉ−Ｆｉ通信接続条件データを受信する近接通信データリーダ／ライタ部と、を備え、第２コンピュータのＷｉ−Ｆｉ無線送受信部に、Ｗｉ−Ｆｉ通信接続条件データに含まれる無線ネットワーク識別子（ＳＳＩＤ）を第１コンピュータに対して発信させるステップと、第１コンピュータの制御部に、第１コンピュータのＷｉ−Ｆｉ無線送受信部に、無線ネットワーク識別子を受信させ、第２コンピュータをクライアントコンピュータに指定するためのクライアントＩＰアドレスを、第２コンピュータに発信させるステップと、コンピュータの制御部に、ユーザ操作検出部に、データ表示部に表示されたタイトル又はアイコンがユーザによって選択される操作と、タイトル又はアイコンに関連付けられた電子データを送信する送信操作とが実行されたことを検出させるステップと、ユーザ操作検出部が選択操作及び送信操作を検出したことに応じて、Ｗｉ−Ｆｉ無線送受信部に電子データを送受信させるステップと、をコンピュータに実行させる。
【００２８】
本発明によれば、ユーザは、パスワード等の煩雑な通信条件を設定することなく、操作回数が極めて少なく、装置を近接させる簡単かつ直感的な操作で、アクセスポイントコンピュータとクライアントコンピュータの間で安全に電子データを送受信することができる。
【００２９】
また、本発明は、上述の改良された発明において、制御部に、Ｗｉ−Ｆｉ無線送受信部が無線ネットワーク識別子を受信したか否かを検知させ、Ｗｉ−Ｆｉ無線送受信部が所定時間内に無線ネットワーク識別子を検知しなかったことに応じて、コンピュータをアクセスポイント装置に指定させるステップをコンピュータに実行させる。
【００３０】
本発明によれば、コンピュータの制御部は、ＳＳＩＤの存在の有無を検知して、コンピュータに対してアクセスポイントの指定を行う。これにより、多数のコンピュータの中で、最初にシステムを起動したコンピュータをアクセスポイントコンピュータに設定することができ、ネットワークシステムに混乱が生じすることを回避することができる。
【００３１】
また、本発明は、上述の改良された発明において、第１コンピュータ及び第２コンピュータから分離されて形成されたＮＦＣ・ＩＤデータを記憶するＩＣカード、又は第１コンピュータ又は第２コンピュータと一体に形成されたＩＣカードが近接通信データリーダ／ライタ部に近接させられたことに応じて、制御部に、近接通信データリーダ／ライタ部にＩＣカードからＮＦＣ・ＩＤデータを取得させるステップと、近接通信データリーダ／ライタ部が取得したＮＦＣ・ＩＤデータに基づいてＷｉ−Ｆｉ通信接続条件データを生成するステップと、をコンピュータに実行させる。
【００３２】
本発明によれば、ユーザがＩＣカードをコンピュータに近づけることにより、コンピュータは、自動的にＷｉ−Ｆｉ無線ネットワークに接続することができる。
【００３３】
また、本発明は、上述の改良された発明において、ユーザ操作検出部は、コンピュータが動かされたことによる加速度を検知して加速度出力信号を出力する加速度センサをさらに備え、制御部に、加速度センサによって出力された加速度出力信号の振幅値、加速度出力信号が出力された回数、又は加速度出力信号が出力された時間間隔に基づいて、Ｗｉ−Ｆｉ無線送受信部に電子データを送信させるステップをコンピュータに実行させる。
【００３４】
本発明によれば、ユーザによって、コンピュータは送信操作時に振り動かすように振動させられる。ユーザは、コンピュータを振動させるか又は投げるような簡単かつ直感的な操作で、アクセスポイントコンピュータとクライアントコンピュータの間で電子データを送受信させることができる。
【００３５】
また、本発明は、上述の改良された発明において、ユーザ操作検出部は、ユーザが発声する音を検知するマイクと、音を検知して音声出力信号若しくは音声記号として出力し、又は音についての声紋を認識する音声処理部とをさらに備え、制御部に、音声処理部によって出力された音声出力信号の波形若しくは周波数、又は音声記号若しくは声紋に基づいて、Ｗｉ−Ｆｉ無線送受信部に電子データを送信させるステップをコンピュータに実行させる。
【００３６】
本発明によれば、ユーザは、コンピュータのマイクに向かって送信操作時に発声するだけで、アクセスポイントコンピュータとクライアントコンピュータの間で電子データを送受信させることができる。
【００３７】
また、本発明は、上述の改良された発明において、コンピュータは、Ｗｉ−Ｆｉ通信接続条件データを記憶するＮＦＣデータ記憶部を具備するＩＣカードをさらに備え、第１コンピュータの制御部に、第１コンピュータに対して、電源を供給するための操作、電子データを送受信するための操作、又は第１コンピュータをアクセスポイント装置に指定する操作のいずれかが実行されたことに応じて、第１コンピュータをアクセスポイント装置に指定させるステップと、第２コンピュータの制御部に、第２コンピュータの近接通信データリーダ／ライタ部に、第１コンピュータのＮＦＣデータ記憶部に記憶されたＷｉ−Ｆｉ通信接続条件データを受信させるステップと、をコンピュータに実行させる。
【００３８】
本発明によれば、ユーザの意志によって、第１コンピュータがアクセスポイントに設定された場合、第１コンピュータに近接させられた第２コンピュータは、近接通信データリーダ／ライタ部によって第１コンピュータのＮＦＣデータ記憶部にあるＷｉ−Ｆｉ通信接続条件データを自動的に受信する。これにより、ユーザは、簡単にアクセスポイント装置及びクライアント装置の設定を行うことができる。
【００３９】
また、本発明は、上述の改良された発明において、コンピュータとして、第３コンピュータをさらに備え、第１コンピュータ乃至第３コンピュータは、Ｗｉ−Ｆｉ通信接続条件データを記憶するＮＦＣデータ記憶部を具備するＩＣカードを備え、第３コンピュータの制御部に、第３コンピュータの近接通信データリーダ／ライタ部に、第１コンピュータのＮＦＣデータ記憶部に記憶されたＷｉ−Ｆｉ通信接続条件データを受信させるステップと、第２コンピュータの制御部に、第２コンピュータの近接通信データリーダ／ライタ部に、第３コンピュータのＮＦＣデータ記憶部に記憶されたＷｉ−Ｆｉ通信接続条件データを受信させるステップと、をコンピュータに実行させる。
【００４０】
本発明によれば、第３コンピュータの制御部は、近接通信によって第１コンピュータに記憶されているＷｉ−Ｆｉ通信条件データを第２コンピュータに受信させる。ユーザはバトンタッチのような感覚で、第１コンピュータ及び第２コンピュータ間においてデータの送受信を行うことができる。
【図面の簡単な説明】
【００４１】
【図１】本発明の第１の実施形態に係る簡易操作型無線データ送受信システムの構成図。
【図２】本実施形態に係る携帯電子装置の構成図。
【図３】本実施形態に係るＩＣカードの構成図。
【図４】本実施形態に係る据置電子装置の構成図。
【図５】本実施形態に係るデータ蓄積装置の構成図。
【図６】（ａ）乃至（ｄ）は、携帯電子装置のデータ表示部に表示される画像フォルダ送信画面遷移図。
【図７】本実施形態に係る加速度出力信号の変化を示す図。
【図８】本実施形態に係る音声出力信号の変化を示す図。
【図９】本実施形態に係る簡易操作型無線データ送受信システムにおける電子データの送受信処理のフローチャート。
【図１０】本実施形態に係る簡易操作型無線データ送受信システムにおける電子データの送受信処理のフローチャート。
【図１１】本発明の第２の本実施形態に係る簡易操作型無線データ送受信システムの構成図。
【図１２】本実施形態に係る簡易操作型無線データ送受信システムにおける電子データの送受信処理のフローチャート。
【図１３】本発明の第３の本実施形態に係る簡易操作型無線データ送受信システムの構成図。
【図１４】本実施形態に係る簡易操作型無線データ送受信システムにおける電子データの送受信処理のフローチャート。
【符号の説明】
【００４２】
１  簡易操作型無線データ送受信システム
２  携帯電子装置（第１電子装置）
２ａ  携帯電子装置（アクセスポイント装置）
２ｂ  携帯電子装置（クライアント装置）
２ｃ  携帯電子装置（クライアント装置）
２ｄ  携帯電子装置（第３電子装置）
３  ＩＣカード
４  据置電子装置（第２電子装置）
４ａ  据置電子装置（クライアント装置）
５  データ蓄積装置（第２電子装置）
５ａ  データ蓄積装置（アクセスポイント装置）
９  近接通信データリーダ／ライタ部
１１  Ｗｉ−Ｆｉ無線送受信部
１２  電子データ
１３  データ記憶部
１５  近接通信データリーダ／ライタ部
１６  Ｗｉ−Ｆｉ無線送受信部
１７  データ記憶部
１９  近接通信データリーダ／ライタ部
２０  Ｗｉ−Ｆｉ無線送受信部
２１  データ記憶部
２５  Ｗｉ−Ｆｉ基礎接続データ
２６  Ｗｉ−Ｆｉ通信接続条件データ
２８  加速度センサ
２９  マイク
３０  音声処理部
３２  ＣＰＵ（制御部）
３３  制御プログラム
３４  主記憶部
３８  ユーザ操作検出部
３９  ＮＦＣ・ＩＤデータ
４７  マイク
４８  音声処理部
５０  ＣＰＵ（制御部）
５１  制御プログラム
５２  主記憶部
５６  ユーザ操作検出部
５７  制御プログラム
５８  主記憶部
７１  加速度出力信号
７４  音声出力信号
【発明を実施するための形態】
【００４３】
以下、本発明の第１の実施形態に係る簡易操作型無線データ送受信システム１について、図面を参照して説明する。図１は、本発明の実施形態に係る簡易操作型無線データ送受信システム１の構成を示す。簡易操作型無線データ送受信システム１は、携帯電子装置２（第１電子装置）と、ＩＣカード３と、据置電子装置４（第２電子装置）と、データ蓄積装置５（第２電子装置）と、大型画面データ表示装置６とを備える。データ蓄積装置５は、接続ケーブル７によって大型画面データ表示装置６と接続される。接続ケーブル７は、例えば、ＵＳＢケーブルである。ここで、簡易操作とは、第１電子装置又は第２電子装置がユーザの操作を検知することより、ユーザが第１電子装置又は第２電子装置を容易に操作できることである。例えば、簡易操作は、ユーザが第１電子装置である携帯電子装置２に対して、指でタッチパネルにタッチする操作やユーザが手に持った携帯電子装置２を振る操作等である。
【００４４】
携帯電子装置２は、ＩＣカード３と近接通信無線信号８を送受信する近接通信データリーダ／ライタ部９と、据置電子装置４又はデータ蓄積装置５等の他の電子装置と広帯域無線信号１０を送受信するＷｉ−Ｆｉ無線送受信部１１と、電子データ１２を記憶するデータ記憶部１３と、電子データ１２を表示するデータ表示部１４を備える。ここで、携帯電子装置２とは、例えば、携帯電話、デジタルカメラ、携帯ゲーム機、ノートパソコン、タブレットパソコン、又はスマートフォン等である。据置電子装置４は、携帯電子装置２と同じ構成の近接通信データリーダ／ライタ部１５、Ｗｉ−Ｆｉ無線送受信部１６、データ記憶部１７、及びデータ表示部１８を備える。ここで、据置電子装置４とは、例えば、デスクサイドパソコン、デジタルフォトフレーム、又はサーバー等である。
【００４５】
データ蓄積装置５は、携帯電子装置２と同じ構成の近接通信データリーダ／ライタ部１９、Ｗｉ−Ｆｉ無線送受信部２０、及びデータ記憶部２１を備える。データ蓄積装置５とは、例えば、ハードディスク、光ディスク、又はメモリカード等を具備したデータ記憶装置である。大型画面データ表示装置６は、データ表示部２２とリモートコントローラ２３を備え、リモートコントローラ２３からリモコン信号２４を受信したことに応じて動作する。ここで、大型画面データ表示装置６とは、例えば、大型デジタルテレビ、デスクトップパソコン、又はデジタルフォトフレームや、大型スクリーンにデータが投影されるプロジェクタ等である。
【００４６】
携帯電子装置２は、据置電子装置４及びデータ蓄積装置５とデータを送受信するとき、ＩＣカード３と近接通信無線信号８によってＮＦＣと呼ばれる狭帯域近接データ通信（Ｎｅａｒ  Ｆｉｅｌｄ  Ｃｏｍｍｕｎｉｃａｔｉｏｎ）を行う。その後、携帯電子装置２は、Ｗｉ−Ｆｉ基礎接続データ２５を生成し、Ｗｉ−Ｆｉ基礎接続データ２５に基づいてＷｉ−Ｆｉ通信接続条件データ２６を生成する。次に、携帯電子装置２は、広帯域無線信号１０によってＷｉ−Ｆｉ通信接続条件データ２６を据置電子装置４及びデータ蓄積装置５に送信する。広帯域無線信号１０は、無線ＬＡＮの国際規格であるＷｉ−Ｆｉ（ＩＥＥＥ８０２．１１シリーズ）の広帯域無線通信方式による無線信号である。ここで、機器間の接続モードは、アクセスポイントを有するＷｉ−Ｆｉのインフラストラクチャモードである。
【００４７】
据置電子装置４及びデータ蓄積装置５は、携帯電子装置２から電子データ１２を受信すると、受信した電子データ１２をそれぞれデータ記憶部１７及びデータ記憶部２１に蓄積する。据置電子装置４は、データ記憶部１７に蓄積された電子データ１２をデータ表示部１８に表示する。また、データ蓄積装置５は、接続ケーブル７を介して、データ記憶部２１に蓄積された電子データ１２を大型画面データ表示装置７のデータ表示部２２に表示する。
【００４８】
図２は、本実施形態に係る携帯電子装置２の構成を示す。携帯電子装置２は、ＩＣカード３と近接通信無線信号８を送受信する近接通信データリーダ／ライタ部９と、データ記憶部１３と、データ表示部１４と一体に形成され、ユーザにタッチされることにより携帯電子装置２が操作されるタッチパネル入力操作部２７と、ユーザによって携帯電子装置２が移動又は振動させられたことにより生じる加速度を検知する加速度センサ２８と、マイク２９に接続されユーザの声を処理する音声処理部３０と、写真やバーコードを撮影するカメラ撮像部３１と、携帯電子装置２全体を制御するＣＰＵ３２（制御部）と、携帯電子装置２全体を制御する制御プログラム３３を記憶する主記憶部３４と、広帯域無線信号１０を送受信するアンテナ３５と、アンテナ３５に接続されるＷｉ−Ｆｉ無線送受信部１１とを備え、これらは、バス３６に接続されている。
【００４９】
データ記憶部１３は、Ｗｉ−Ｆｉ基礎接続データ２５及びＷｉ−Ｆｉ通信接続条件データ２６を記憶する。Ｗｉ−Ｆｉ通信接続条件データ２６は、ＳＳＩＤを呼ばれる無線ネットワーク識別子（Ｓｅｒｖｉｃｅ  Ｓｅｔ  Ｉｄｅｎｔｉｆｉｅｒ）である簡単伝送ＳＳＩＤ３７を含む。近接通信データリーダ／ライタ部９と、タッチパネル入力操作部２７と、加速度センサ２８と、マイク２９と、音声処理部３０と、カメラ撮像部３１は、ユーザによる携帯電子装置２に対する操作を検知するユーザ操作検出部３８を構成する。
【００５０】
図３は、本実施形態に係るＩＣカード３の構成を示す。ＩＣカード３は、携帯電子装置２、据置電子装置４、又はデータ蓄積装置５に近接させられることにより近接通信を行う。ＩＣカード３は、ＮＦＣ・ＩＤデータ３９を記憶するＮＦＣデータ記憶部４０と、ＩＣカード３全体を制御する制御プログラム４１を記憶するＮＦＣ主記憶部４２と、近接コンタクト部４３を通じて近接通信無線信号８を送受信するＮＦＣ制御素子４４を具備するＩＣチップ４５を備える。ＮＦＣ・ＩＤデータ３９は、通常、８バイトの数値データである。ここで、ＩＣカード３の形状は、ＩＣチップ４５が内蔵されたカード状であるが、必ずしもカード状でなくてもよい。ＩＣカード３は、例えば、携帯電子装置２、据置電子装置４、又はデータ蓄積装置５の筐体の中に内蔵されたチップブロック状であってもよい。また、ＩＣカード３と携帯電子装置２、据置電子装置４、又はデータ蓄積装置５との通信は、例えば、よく普及しているＩＳＯ／ＩＥＣ７８１６など国際基準で規定されている伝送プロトコルに従って送受信され、そのタイプは、タイプＡ、タイプＢ、又はタイプＣ等、いずれのタイプが採用されてもよい。また、近接コンタクト部４３は、電磁波を利用するコイル型であっても、キャパシタンスを使用するプレート型であっても構わない。
【００５１】
図４は、本実施形態に係る据置電子装置４の構成を示す。据置電子装置４は、加速度センサ２８を具備しないが、その他は携帯電子装置２と同じ構成である。据置電子装置４は、近接通信データリーダ／ライタ部１５と、データ記憶部１７と、データ表示部１８と一体に形成されるタッチパネル入力操作部４６と、マイク４７に接続される音声処理部４８と、カメラ撮像部４９と、据置電子装置４全体を制御するＣＰＵ５０（制御部）と、据置電子装置４全体を制御する制御プログラム５１を記憶する主記憶部５２と、アンテナ５３と、アンテナ５３に接続されるＷｉ−Ｆｉ無線送受信部１６とを備え、これらは、バス５４に接続されている。データ記憶部１７は、Ｗｉ−Ｆｉ基礎接続データ２５及び簡単伝送ＳＳＩＤ３７を含むＷｉ−Ｆｉ通信接続条件データ２６を記憶する。近接通信データリーダ／ライタ部１５と、タッチパネル入力操作部４６と、マイク４７と、音声処理部４８と、カメラ撮像部４９は、ユーザによる据置電子装置４に対する操作を検知するユーザ操作検出部５６を構成する。
【００５２】
図５は、本実施形態に係るデータ蓄積装置５の構成を示す。データ蓄積装置５は、近接通信データリーダ／ライタ部１９と、データ記憶部２１と、データ蓄積装置５全体を制御するＣＰＵ５６（制御部）と、データ蓄積装置５全体を制御する制御プログラム５７を記憶する主記憶部５８と、広帯域無線信号１０を送受信するアンテナ５９と、アンテナ５９に接続するＷｉ−Ｆｉ無線送受信部２０と、接続ケーブル７が接続される外部端子６０を備え、これらは、バス６１に接続されている。データ記憶部２１は、Ｗｉ−Ｆｉ基礎接続データ２５及び簡単伝送ＳＳＩＤ３７を含むＷｉ−Ｆｉ通信接続条件データ２６を記憶する。さらに、データ蓄積装置５は、ＩＣカード３を内蔵しているものとする。
【００５３】
次に、電子データ１２が携帯電子装置２から据置電子装置４に送信される簡易操作送信方法について説明する。簡易操作は、ユーザの生活習慣に基づいた直感的でわかりやすく、かつ操作回数が少ない操作方法であることが望ましい。図６（ａ）乃至（ｄ）は、携帯電子装置２のデータ表示部１４に表示される画像フォルダ送信画面遷移を示す。ここで、携帯電子装置２は、電子データ１２として画像フォルダ６２を送信するものとする。
【００５４】
図６（ａ）は、画像フォルダ６２が選択されたフォルダ選択画面６３を示す。電子データ１２が送信されるとき、データ表示部１４は、画像フォルダ６２が選択されるフォルダ選択画面６３を表示する。フォルダ選択画面６３は、上部に通信状態を文字列で表示するための通信状態表示欄６４を表示する。ここで、通信状態表示欄６４は、「ＩＣカードをタッチしてください」なるメッセージを表示する。ユーザは、このメッセージを視認することにより、ＩＣカード３を携帯電子装置２に近づける必要があることを認識することができる。フォルダ選択画面６３は、画像フォルダ６２がユーザの指６５によってタッチされることにより、送信される電子データ１２が特定される。このように、指６５でタッチすることにより、送信される電子データ１２を特定する操作を第１回目送信操作とする。
【００５５】
ここでは、フォルダ名が「‘１０．６．８ジュネーブ」である画像フォルダ６２が指６５にタッチされている。データ表示部１４は、画像フォルダ６２が指６５によってタッチされたことに応じて、フォルダ名である文字列「‘１０．６．８ジュネーブ」の色、又はこの文字列の背景の色を変化させて表示する。ここで、文字列「‘１０．６．８ジュネーブ」は、例えば、赤色で表示される。これにより、ユーザは、選択した画像フォルダ６２を認識することができる。次に、ＩＣカード３は、携帯電子装置２に近接タッチされた後、同様に据置電子装置４に近接タッチされる。ここで、近接タッチとは、ＩＣカード３が、ユーザによって携帯電子装置２、据置電子装置４、又はデータ蓄積装置５と狭帯域近接データ通信を行うことができる程度に近づけられること、又は接触させられることである。ここで、ＩＣカード３が、携帯電子装置２に近接タッチさせられる操作を第２回目送信操作とする。また、第２回目送信操作の後、ＩＣカード３が、据置電子装置４に近接タッチさせられる操作を第３回目送信操作とする。
【００５６】
図６（ｂ）は、通信準備中画面６６を示す。データ表示部１４は、第２回目送信操作及び第３回目送信操作が行われたことに応じて、通信準備中画面６６を表示する。第２回目送信操作は、電子データ１２を送信する携帯電子装置２を特定し、第３回目送信操作は、電子データ１２を受信する据置電子装置４を特定する操作である。このように、ユーザが、ＩＣカード３を電子データ１２の送信側である携帯電子装置２に近接タッチさせた後、受信側である据置電子装置４に近接タッチさせる操作は、ＩＣカード３を介して電子データ１２を伝送することを暗示させる。このように、第２回目送信操作及び第３回目送信操作による一連の動作は、具体的かつ確実に情報を手渡すという生活習慣に根ざした直感的でわかりやすい情報伝送ユーザインターフェースとなる。
【００５７】
第２回目送信操作が行われたことに応じて、ＩＣカード３は、携帯電子装置２の近接通信データリーダ／ライタ部９によって検知される。携帯電子装置２のＣＰＵ３２は、ＩＣカード３のＮＦＣデータ記憶部４０に記憶されるＮＦＣ・ＩＤデータ３９を取得する。ＣＰＵ３２は、取得したＮＦＣ・ＩＤデータ３９を用いて、一定の規則に従いＷｉ−Ｆｉ基礎接続データ２５を生成する。ここで、ＣＰＵ３２は、ＮＦＣによる送信であることを意味する文字列「ＢｙＮＦＣ」を８バイトのＮＦＣ・ＩＤデータ３９に付与した、「ＢｙＮＦＣ＋ＮＦＣ・ＩＤデータ（８バイト）」をＷｉ−Ｆｉ基礎接続データ２５として生成する。なお、Ｗｉ−Ｆｉ基礎接続データ２５として、セキュリティレベルを下げてよい場合、ＣＰＵ３２は、文字列「ＢｙＮＦＣ」を付与することなくＮＦＣ・ＩＤデータ３９を基礎接続データ２５として使用しても構わない。
【００５８】
さらに、ＣＰＵ３２は、生成したＷｉ−Ｆｉ基礎接続データ２５に基づいて、広帯域無線信号１０の広帯域通信に必要なＷｉ−Ｆｉ通信接続条件データ２６を一定の規則で自動的に生成し、データ記憶部１３に記憶させる。ここで、広帯域通信とは、Ｗｉ−Ｆｉ通信である。また、広帯域通信がＷｉ−Ｆｉの場合、ＣＰＵ３２は、Ｗｉ−Ｆｉ通信接続条件データ２６に例えば、ＳＳＩＤ、パスワード、セキュリティ条件、ＩＰアドレス等を含ませる。ここでは、ＣＰＵ３２は、ＳＳＩＤとして、ＮＦＣ・ＩＤデータ３９を英数文字に変換した「ＮＦＣ・ＩＤデータ（英数文字）」に、文字列「ＢｙＮＦＣＳＳＩＤ」を付与して「ＢｙＮＦＣＳＳＩＤ＋ＮＦＣ・ＩＤ（英数文字）」を生成する。また、ＣＰＵ３２は、パスワードとして、ＮＦＣ・ＩＤデータ３９を１６進数に変換し、文字列「ＢｙＮＦＣＰＷ」を付与して「ＢｙＮＦＣＰＷ＋ＮＦＣ・ＩＤ（１６進数）」を生成する。また、ＣＰＵ３２は、セキュリティ条件として、例えば、暗号化方式としてＷＰＡ２−ＰＳＫを設定する。ここで、携帯電子装置２のＩＰアドレスは、例えば、「１９２．１６８．２２１．１」とする。ＣＰＵ３２は、生成したＳＳＩＤ、パスワード、及びセキュリティ条件と、携帯電子装置２のＩＰアドレスからなるＷｉ−Ｆｉ通信接続条件データ２６を生成する。
【００５９】
簡易操作型無線データ送受信システム１において、自動生成された無線ネットワーク識別ＩＤであるＳＳＩＤは、簡単伝送ＳＳＩＤ３７として、送信側である携帯電子装置２及び受信側である据置電子装置４に共通して使用される。携帯電子装置２のＣＰＵ３２は、Ｗｉ−Ｆｉ通信接続条件データ２６を自動生成した後、Ｗｉ−Ｆｉ無線送受信部１１にＷｉ−Ｆｉ通信接続条件データ２６をアンテナ３５から送信させる。ＣＰＵ３２は、Ｗｉ−Ｆｉ無線送受信部１１にＷｉ−Ｆｉ通信接続条件データ２６を送信させるのと同時に、通信準備中画面６６の通信状態表示欄６４に、「通信準備中」なるメッセージを表示させる。通信準備中画面６６は、フォルダ選択画面６３において選択されたフォルダ名である文字列「‘１０．６．８ジュネーブ」の色、又はこの文字列の背景の色を変化させて表示する。ここで、文字列「‘１０．６．８ジュネーブ」は、例えば、黄色で表示される。ユーザは、文字列「‘１０．６．８ジュネーブ」が黄色であることを視認することにより、通信準備が行われていることを知ることができる。
【００６０】
次に、ＣＰＵ３２は、据置電子装置４やデータ蓄積装置５等の他の電子機器から送信された広帯域無線信号１０をＷｉ−Ｆｉ無線送受信部１１に受信させる。ＣＰＵ３２は、広帯域無線信号１０に含まれるＷｉ−Ｆｉ通信接続条件データ２６に、簡単伝送ＳＳＩＤ３７が含まれるか否かを検出する。ここで、ＩＣカード３は、最初に携帯電子装置２に近接タッチされているため、簡単伝送ＳＳＩＤ３７を含むＷｉ−Ｆｉ通信接続条件データ２６を送信している他の電子機器は存在しない。ＣＰＵ２４は、Ｗｉ−Ｆｉ通信接続条件データ２６から簡単伝送ＳＳＩＤ３７を検出できないため、簡単伝送ＳＳＩＤ３７が含まれないことを示す「無し」を検出する。
【００６１】
ＣＰＵ２４は、「無し」を検出したことに応じて、携帯電子装置２をアクセスポイントに指定する。なお、例えば、据置電子装置４が誤って簡単伝送ＳＳＩＤ３７を含むＷｉ−Ｆｉ通信接続条件データ２６を送信した場合、ＣＰＵ２４は、「有り」を検出することとなる。このとき、ＣＰＵ２４は、フォルダ選択画面６３において、送信される電子データ１２として画像フォルダ６２が指６５にタッチされたか否かを判定する。画像フォルダ６２が指６５にタッチされていたとき、ＣＰＵ２４は、携帯電子装置２をアクセスポイントに指定する。このように、携帯電子装置２は、Ｗｉ−Ｆｉ通信接続条件データ２６における簡単伝送ＳＳＩＤ３７の検出と、画像フォルダ６２の特定の有無とのダブルチェックにより、アクセスポイントを確定する。これにより、簡易操作型無線データ送受信システム１は、電子データ１２の送信の確実性を保証することができる。
【００６２】
次に、第３回目送信操作が行われたことに応じて、ＩＣカード３は、据置電子装置４の近接通信データリーダ／ライタ部１５によって検知される。据置電子装置４のＣＰＵ５０は、ＩＣカード３のＮＦＣデータ記憶部４０に記憶されるＮＦＣ・ＩＤデータ３９を取得する。ＣＰＵ５０は、取得したＮＦＣ・ＩＤデータ３９を用いて、携帯電子装置２のＣＰＵ３２と同様に、一定の規則に従いＷｉ−Ｆｉ基礎接続データ２５を生成し、さらにＷｉ−Ｆｉ通信接続条件データ２６を生成する。また、ＣＰＵ５０は、Ｗｉ−Ｆｉ通信接続条件データ２６に含まれる簡単伝送ＳＳＩＤ３７を自動的に生成する。ここで、生成される簡単伝送ＳＳＩＤ３７は、携帯電子装置２において生成される簡単伝送ＳＳＩＤ３７と同一である。
【００６３】
ＣＰＵ５０は、Ｗｉ−Ｆｉ通信接続条件データ２６を自動生成した後、Ｗｉ−Ｆｉ無線送受信部１６にＷｉ−Ｆｉ通信接続条件データ２６をアンテナ５３から送信させる。一方、アクセスポイントである携帯電子装置２のＷｉ−Ｆｉ無線送受信部１１は、受信側の据置電子装置４からの広帯域無線信号１０を受信する。携帯電子装置２のＣＰＵ３２は、広帯域無線信号１０に含まれるＷｉ−Ｆｉ通信接続条件データ２６から簡単伝送ＳＳＩＤ３７を検出することにより、据置電子装置４が電子データ１２を受信するクライアント装置であることを認知する。ＣＰＵ３２は、クライアント装置である据置電子装置４に「ＩＰアドレス」を送信することにより、据置電子装置４にＩＰアドレスを付与する。ここで、据置電子装置４に付与されるＩＰアドレスをクライアントＩＰアドレスとし、その値は、例えば、「１９２．１６８．２２１．１１」である。
【００６４】
図６（ｃ）は、送信ＯＫ画面６７を示す。データ表示部１４は、ＣＰＵ３２が据置電子装置４に「ＩＰアドレス」を送信したことに応じて、送信ＯＫ画面６７を表示する。送信ＯＫ画面６７は、通信状態表示欄６４に「送信ＯＫ」なるメッセージと、画像フォルダ６２を送信するための送信アイコン６８を表示する。ユーザは、「送信ＯＫ」なるメッセージを視認することにより、広帯域無線送受信の準備が完了したことを知ることができる。送信ＯＫ画面６７は、フォルダ名である文字列「‘１０．６．８ジュネーブ」の色、又はこの文字列の背景の色を変化させて表示する。ここで、文字列「‘１０．６．８ジュネーブ」は、例えば、青色で表示される。ユーザは、文字列「‘１０．６．８ジュネーブ」が青色であることと、表示された送信アイコン６８を視認することにより、画像フォルダ６２を送信できることを認識する。送信アイコン６８が、ユーザの指６５によって、矢印方向に横滑りタッチされたことに応じて、ＣＰＵ３２は、画像フォルダ６２を据置電子装置４へ送信する。ここで、送信アイコン６８が、指６５によって横滑りタッチされる操作を第４回目送信操作とする。
【００６５】
図６（ｄ）は、送信完了画面６９を示す。データ表示部１４は、ＣＰＵ３２が据置電子装置４に画像フォルダ６２を送信したことに応じて、送信完了画面６９を表示する。送信完了画面６９は、通信状態表示欄６４に「送信完了」なるメッセージを表示する。また、送信完了画面６９は、フォルダ名である文字列「‘１０．６．８ジュネーブ」の色、又はこの文字列の背景の色を変化させて表示する。ここで、文字列「‘１０．６．８ジュネーブ」は、例えば、緑色で表示される。ユーザは、文字列「‘１０．６．８ジュネーブ」が緑色であることと、「送信完了」なるメッセージを視認することにより、画像フォルダ６２が送信されたことを知ることができる。
【００６６】
このように、ユーザは、携帯電子装置２に対して、第１回目送信操作乃至第４回目送信操作の合計４つのタッチ操作を行うことにより、画像フォルダ６２を据置電子装置４に送信することができる。これにより、ユーザは、電子データ１２を他の機器に送信するに際して、通信手順の選択や通信条件の設定など煩雑なキーボード操作を行う必要がなくなる。また、簡易操作型無線データ送受信システム１は、操作回数が少なく、あたかも人から人に大切な情報を手渡しするような極めて簡単な動作によって、安全確実に電子データ１２を送信できる送信方法を提供することができる。
【００６７】
次に、図６（ｃ）の送信ＯＫ画面６７において、送信アイコン６８が指６５によって横滑りタッチされることに替えて、加速度センサ２８が使用される送信方法について説明する。図７は、本実施形態に係る加速度センサ２８が出力した加速度出力信号７１の変化を示す。加速度センサ２８が使用される場合、送信ＯＫ画面６７は、通信状態表示欄６４に「送信ＯＫ：大きく振ってください。」なるメッセージを表示する。ユーザは、メッセージを視認することにより、携帯電子装置２をスイングさせる。ここで、スイングとは、携帯電子装置２がユーザの腰の位置から肩の位置まで上げられた後、肩から腰へ向けて大きく振り降ろされる動作である。ここでは、携帯電子装置２は、大きく３回スイングされる。加速度センサ２８は、携帯電子装置２がスイングされたことに応じて、スイングの大きさに応じた加速度出力信号を出力する。ＣＰＵ３２は、出力された加速度出力信号が予め定められた閾値より大きいとき、ユーザによって命令が入力されたと判断する。
【００６８】
図７を参照して、位置波形７０は、携帯電子装置２に対する重力方向の位置を示す縦軸と、時間の経過を示す横軸によって表され、加速度出力信号７１は、振幅の大きさを示す縦軸と、時間の経過を示す横軸によって表される。位置波形７０は、携帯電子装置２の位置を示す縦軸と、時間の経過を示す横軸によって表される。一方、加速度出力信号７１は、振幅の大きさを示す縦軸と、時間の経過を示す横軸によって表される。Ｔ０乃至Ｔ２は、携帯電子装置２が1回目にスイングされたときの、スイング開始時Ｔ０、スイングのピークＴ１、及びスイング終了時Ｔ２を示す。同様に、Ｔ３乃至Ｔ５とＴ６乃至Ｔ８は、携帯電子装置２が２回目と３回目にスイングされたときのスイング開始時、スイングのピーク、及びスイング終了時をそれぞれ示す。
【００６９】
ＣＰＵ３２は、加速度センサ２８の加速度出力信号７１が、所定の時間内に閾値７２を３回越えたか否かを判定する。ＣＰＵ３２は、加速度出力信号７１が、所定の時間内に閾値７２を３回越えたと判定すると、画像フォルダ６２を据置電子装置４に送信する。ここでは、誤送信を防止するため、携帯電子装置２が３回スイングされる構成としたが、ＣＰＵ３２は、携帯電子装置２が１回スイングされたことに応じて、画像フォルダ６２を送信しても構わない。
【００７０】
また、ＣＰＵ３２は、加速度センサ２８の加速度出力信号７１に基づいて、基礎接続データ２５を生成してもよい。このとき、電子データ１２は、２台の携帯電子装置２の間で送受信されるものとする。また、２台の携帯電子装置２は、同時に同じようにスイングされるものとする。図７を参照して、加速度出力信号７１は、ゼロレベル７３及び閾値７２と交わるクロス点Ｐ０乃至Ｐ１４が１５箇所存在する。ＣＰＵ３２は、クロス点Ｐ０乃至Ｐ１４を用いて基礎接続データ２５を生成する。ＣＰＵ３２は、クロス点Ｐ０乃至Ｐ１４の個数を加速度クロス点個数データとして２バイトで表現する。次に、ＣＰＵ３２は、基礎接続データ２５として、「ＢｙＳｗｉｎｇ＋加速度クロス点個数データ（２バイト）」を生成する。ここで、「ＢｙＳｗｉｎｇ」は、携帯電子装置２がスイングされることに電子データ１２を送信することを意味する。
【００７１】
さらに、ＣＰＵ３２は、簡単伝送ＳＳＩＤ３７として「ＢｙＳＷｉｎｇＳＳＩＤ＋加速度クロス点個数データ（２バイト）」、パスワードとして「ＢｙＳＷｉｎｇＰＷ＋加速度クロス点個数データ（２バイト）」を生成する。これにより、ユーザは、ＩＣカード３を据置電子装置４に近接タッチする第３回目送信操作を行う必要がなくなり、操作を一つ減らすことができる。このように、２台の携帯電子装置２を上下方向にスイングをさせて電子データ１２を送受信する方法は、二人のユーザが握手する状況に類似する直感的な動作である。また、２台の携帯電子装置２は、机上に置かれ、同時にノック震動が与えられることにより、電子データ１２を送受信しても構わない。２台の携帯電子装置２に対してノック震動が与える動作は、人がドアをノックする動作に類似する直感的な動作である。
【００７２】
次に、図６（ｃ）の送信ＯＫ画面６７において、送信アイコン６８が指６５によって横滑りタッチされることに替えて、携帯電子装置２のマイク２９が使用される送信方法について説明する。図８は、本実施形態に係る音声処理部３０が出力した音声出力信号７４の変化を示す。携帯電子装置２は、据置電子装置４に画像フォルダ６２を送信するものとする。マイク２９が使用される場合、送信ＯＫ画面６７は、通信状態表示欄６４に「送信ＯＫ：‘送信します’と発してください。」なるメッセージを表示する。ユーザは、メッセージを視認することにより、マイク２９に対して「ｓｏｓｈｉｎ  ｓｈｉｍａｓｕ」を発声する。音声処理部３０は、マイク２９に対して「ｓｏｓｈｉｎ  ｓｈｉｍａｓｕ」なる音が発声されたことに応じて、発声された音に応じた音声出力信号を出力する。ＣＰＵ３２は、出力された音声出力信号が予め定められた閾値より大きいとき、ユーザによって命令が入力されたと判断する。
【００７３】
図８を参照して、音声出力信号７４は、振幅の大きさを示す縦軸と、時間の経過を示す横軸によって表される。ＣＰＵ３２は、音声処理部３０の音声出力信号７４が、所定の時間内に閾値７５を越えたか否かを判定する。ＣＰＵ３２は、音声出力信号７４が、所定の時間内に閾値７５を越えたと判定すると、画像フォルダ６２を据置電子装置４に送信する。音声処理部３０は、ユーザによって発声された「ｓｏｓｈｉｎ  ｓｈｉｍａｓｕ」の音を解析することにより、「送信します」を発声された否かを正確に判定する。これにより、携帯電子装置２は、正確に画像フォルダ６２を据置電子装置４に送信することができる。
【００７４】
また、ＣＰＵ３２は、音声処理部３０の音声出力信号７４に基づいて、基礎接続データ２５を生成してもよい。このとき、電子データ１２は、携帯電子装置２と据置電子装置４の間で送受信されるものとする。ユーザは、送信側の携帯電子装置２と受信側の据置電子装置４の２台を並べて置き、同時にそれぞれのマイク２９及びマイク４７に対して、例えば、「送信します」と発声する。図８を参照して、音声出力信号７４は、ゼロレベル７６と交わるクロス点Ｑ０乃至Ｑ１２が１３箇所存在する。携帯電子装置２のＣＰＵ３２及び据置電子装置４のＣＰＵ５０は、クロス点Ｑ０乃至Ｑ１２の個数を音声クロス点個数データとして２バイトで表現する。次に、ＣＰＵ３２及びＣＰＵ５０は、基礎接続データ２５として、「ＢｙＶｏｉｃｅ＋音声クロス点個数データ（２バイト）」を生成する。ここで、「ＢｙＶｏｉｃｅ」は、ユーザの声に基づいて電子データ１２が送信されることを意味する。
【００７５】
さらに、ＣＰＵ３２及びＣＰＵ５０は、簡単伝送ＳＳＩＤ３７として「ＢｙＶｏｉｃｅＳＳＩＤ＋音声クロス点個数データ（２バイト）」、パスワードとして「ＢｙＶｏｉｃｅＰＷ＋音声クロス点個数データ（２バイト）」を生成する。ユーザは、マイク２９及びマイク４７に所定の音を発声することにより、簡単に電子データ１２を携帯電子装置２から据置電子装置４へ送信させることができる。なお、マイク２９及びマイク４７は、音声クロス点個数データではなく、マイク２９及びマイク４７に対して発声された声紋を符号化することにより、Ｗｉ−Ｆｉ通信接続条件データ２６を生成しても構わない。また、マイク２９及びマイク４７は、音声処理部３０に認識された音声をテキスト記号に変換し、このテキスト記号に基づいてＷｉ−Ｆｉ通信接続条件データ２６を生成しても構わない。これにより、簡易操作型無線データ送受信システム１は、安全かつ確実に電子データ１２を送受信することができる。
【００７６】
図９は、本実施形態に係る簡易操作型無線データ送受信システム１における電子データ１２の送受信処理のフローを示す。ここで、電子データ１２は画像フォルダ６２であり、画像フォルダ６２が携帯電子装置２から据置電子装置４へ送信されるものとする。データ表示部１４に表示されたフォルダ選択画面６３において、画像フォルダ６２が指６５にタッチされる第１回目送信操作が実行される（Ｓ１０１）。これにより、ＣＰＵ３２は、タッチされた画像フォルダ６２が据置電子装置４に送信される電子データ１２であることを認識する。次に、ＣＰＵ３２は、通信状態表示欄６４に「ＩＣカードをタッチしてください」なるメッセージを表示させる（Ｓ１０２）。これにより、ユーザは、携帯電子装置２にＩＣカード３を近接タッチさせる必要があることを認識することができる。このとき、フォルダ選択画面６３は、画像フォルダ６２のフォルダ名の色を変化させて表示する。
【００７７】
第２回目送信操作として、ＩＣカード３が携帯電子装置２に近接タッチされたことに応じて（Ｓ１０３）、近接通信データリーダ／ライタ部９は、ＩＣカード３を検知する（Ｓ１０４）。ＣＰＵ３２は、ＩＣカード３のＮＦＣデータ記憶部４０に記憶されるＮＦＣ・ＩＤデータ３９を取得する（Ｓ１０５）。ＣＰＵ３２は、一定の規則に従ってＮＦＣ・ＩＤデータ３９に基づいてＷｉ−Ｆｉ基礎接続データ２５を生成する（Ｓ１０６）。ＣＰＵ３２は、生成したＷｉ−Ｆｉ基礎接続データ２５に基づいて、簡単伝送ＳＳＩＤ３７を含むＷｉ−Ｆｉ通信接続条件データ２６を生成する（Ｓ１０７）。
【００７８】
ＣＰＵ３２は、Ｗｉ−Ｆｉ無線送受信部１１にＷｉ−Ｆｉ通信接続条件データ２６を発射させ（Ｓ１０８）、通信準備中画面６６の通信状態表示欄６４に、「通信準備中」なるメッセージを表示させる（Ｓ１０９）。ＣＰＵ３２は、無線送受信部１１が他の電子機器から受信したＷｉ−Ｆｉ通信接続条件データ２６に、簡単伝送ＳＳＩＤ３７が含まれていないことを示す「無し」を検出する（Ｓ１１０）。ＣＰＵ２４は、「無し」を検出したことに応じて、携帯電子装置２をアクセスポイントに指定する（Ｓ１１１）。
【００７９】
次に第３回目送信操作として、ＩＣカード３が据置電子装置４に近接タッチされたことに応じて（Ｓ１１２）、据置電子装置４の近接通信データリーダ／ライタ部１５は、ＩＣカード３を検知する（Ｓ１１３）。据置電子装置４のＣＰＵ５０は、ＩＣカード３のＮＦＣデータ記憶部４０に記憶されるＮＦＣ・ＩＤデータ３９を取得する（Ｓ１１４）。ＣＰＵ５０は、一定の規則に従ってＮＦＣ・ＩＤデータ３９に基づいてＷｉ−Ｆｉ基礎接続データ２５を生成する（Ｓ１１５）。ＣＰＵ５０は、生成したＷｉ−Ｆｉ基礎接続データ２５に基づいて、簡単伝送ＳＳＩＤ３７を含むＷｉ−Ｆｉ通信接続条件データ２６を生成する（Ｓ１１６）。ＣＰＵ５０は、Ｗｉ−Ｆｉ無線送受信部１１に、Ｗｉ−Ｆｉ通信接続条件データ２６に含まれる簡単伝送ＳＳＩＤ３７を携帯電子装置２へ送信させる（Ｓ１１７）。
【００８０】
携帯電子装置２のＣＰＵ３２は、Ｗｉ−Ｆｉ無線送受信部１１が簡単伝送ＳＳＩＤ３７を受信したことに応じて、簡単伝送ＳＳＩＤ３７を受信したことを示す「有り」を検出する（Ｓ１１８）。ＣＰＵ３２は、「有り」を検出したことに応じて、据置電子装置４がクライアント装置であると認知し（Ｓ１１９）、Ｗｉ−Ｆｉ無線送受信部１１にクライアントＩＰアドレスを据置電子装置４へ送信させる（Ｓ１２０）。据置電子装置４のＣＰＵ５０は、Ｗｉ−Ｆｉ無線送受信部１６がクライアントＩＰアドレスを受信したことに応じて、クライアントＩＰアドレスを据置電子装置４のＩＰアドレスとして設定する（Ｓ１２１）。
【００８１】
ステップＳ１２１において、ＣＰＵ３２は、Ｗｉ−Ｆｉ無線送受信部１１にクライアントＩＰアドレスを送信させると、データ表示部１４に送信ＯＫ画面６７を表示させる（Ｓ１２２）。第４回目送信操作として、送信ＯＫ画面６７に表示される送信アイコン６８が指６５によって矢印方向に横滑りタッチされたことに応じて（Ｓ１２３）、ＣＰＵ３２は、Ｗｉ−Ｆｉ無線送受信部１１に画像フォルダ６２を据置電子装置４へ送信させる（Ｓ１２４）。据置電子装置４のＷｉ−Ｆｉ無線送受信部１６は、画像フォルダ６２を受信する（Ｓ１２５）。ステップＳ１２４において、ＣＰＵ３２は、Ｗｉ−Ｆｉ無線送受信部１１に画像フォルダ６２を据置電子装置４へ送信させると、データ表示部１４に送信完了画面６９を表示させる（Ｓ１２６）。このように、ユーザは、第１回目送信操作乃至第４回目送信操作を実行するだけで、電子データ１２を他の電子機器に送信することができる。
【００８２】
ここでは、ステップＳ１２３において、第４回目送信操作として、送信アイコン６８が指６５によって横滑りタッチされる方法を示したが、第４回目送信操作として、携帯電子装置２の加速度センサ２８又はマイク２９が使用される送信方法であっても構わない。第４回目送信操作として、加速度センサ２８が使用されるとき、ユーザは、第４回目送信操作として携帯電子装置２を腰から肩へと大きくスイングさせる操作を行う。ＣＰＵ３２は、図７に示されるように、加速度出力信号７１が閾値７２を越えたと判定すると、Ｗｉ−Ｆｉ無線送受信部１１に画像フォルダ６２を据置電子装置４へ送信させる。携帯電子装置２をスイングさせる操作は、情報を他の人に渡す際、投げて渡すことを暗示させるため、極めて自然で直感的な行為である。
【００８３】
第４回目送信操作として、マイク２９が使用されるとき、ユーザは、第４回目送信操作としてマイク２９に対して、例えば、「送信します」と発声する。音声処理部３０は、発声された音に応じた出力信号を出力する。ＣＰＵ３２は、図８に示されるように、音声処理部３０の音声出力信号７４が閾値７５を越えたと判定すると、Ｗｉ−Ｆｉ無線送受信部１１に画像フォルダ６２を据置電子装置４へ送信させる。ここで、ＣＰＵ３２は、ユーザによって発せられた単語を認識し、認識した単語が所定の単語と一致するか否かの判断に応じて、無線送受信部１１に画像フォルダ６２を据置電子装置４へ送信させてもよい。ユーザがマイク２９に対して発声する操作は、具体的な人間の声によって情報を伝送する会話に類似する極めて直感的な行為である。
【００８４】
画像フォルダ６２が、携帯電子装置２から据置電子装置４へ送信される場合について説明したが、送信される電子データ１２は、画像フォルダ６２ではなく、ＡＶファイル、ドキュメントファイル、又は動画ファイル等であっても構わない。電子データ１２は、携帯電子装置２から携帯電子装置２又はデータ蓄積装置５へ送信させる構成であっても構わない。また、ＩＣカード３が携帯電子装置２や据置電子装置４に近接タッチさせられる第２回目送信操作及び第３回目送信操作は、第１回目送信操作と操作の順序が入れ替わっても構わない。例えば、ここで、携帯電子装置２の中に、ＩＣカード３がＩＣチップブロックとして内蔵されているとする。このとき、ユーザは、ＩＣカード３を内蔵する２台の携帯電子装置２を互いに近接タッチさせることで、第２回目送信操作及び第３回目送信操作を同時に実行することができる。第２回目送信操作及び第３回目送信操作は、１回の操作として実行されるので、ユーザは、電子データ１２を送信する操作回数は３回となるため、操作回数を１回減らすことができる。これにより、簡易操作型無線データ送受信システム１は、電子データ１２の送受信に際して、より簡単な操作をユーザに提供することが可能となる。
【００８５】
次に、電子データ１２が、複数の携帯電子装置２からデータ蓄積装置５に送信され、データ蓄積装置５に接続された大型画面データ表示装置６に表示される処理について説明する。図１０は、本実施形態に係る簡易操作型無線データ送受信システム１における電子データ１２の送受信処理のフローを示す。ここで、データ蓄積装置５は、複数の携帯電子装置２から電子データ１２として画像フォルダ６２を受信するものとする。データ蓄積装置５は、外部端子６０に接続ケーブル７が差し込まれ、データ蓄積装置５に電源を供給する第１回目送信操作が実行される（Ｓ２０１）。これにより、データ蓄積装置５は、大型画面データ表示装置６に接続され、外部端子６０から電源が供給される。データ蓄積装置５の近接通信データリーダ／ライタ部１５は、内蔵するＩＣカード３を検知し、ＣＰＵ５６は、ＩＣカード３からＮＦＣ・ＩＤデータ３９を取得する（Ｓ２０２）。
【００８６】
ＣＰＵ５６は、ＮＦＣ・ＩＤデータ３９に基づいてＷｉ−Ｆｉ基礎接続データ２５を生成し（Ｓ２０３）、生成したＷｉ−Ｆｉ基礎接続データ２５に基づいて、簡単伝送ＳＳＩＤ３７を含むＷｉ−Ｆｉ通信接続条件データ２６を生成する（Ｓ２０４）。ＣＰＵ５６は、第１回目送信操作、即ち電源起動時に、予めデータ蓄積装置５をアクセスポイント装置として指定されていた指示に従い、データ蓄積装置５をアクセスポイントに指定する（Ｓ２０５）。
【００８７】
続いてそれぞれの携帯電子装置２のデータ表示部１４に表示されたフォルダ選択画面６３において、画像フォルダ６２が指６５にタッチされる第２回目送信操作が実行される（Ｓ２０６）。次に、第３回目送信操作として、複数の携帯電子装置２は、ＩＣカード３を内蔵するデータ蓄積装置５に近接タッチされたことに応じて（Ｓ２０７）、近接通信データリーダ／ライタ部９は、ＩＣカード３を検知する（Ｓ２０８）。
【００８８】
複数の携帯電子装置２のＣＰＵ３２は、ＩＣカード３のＮＦＣデータ記憶部４０に記憶されるＮＦＣ・ＩＤデータ３９を取得し（Ｓ２０９）、ＮＦＣ・ＩＤデータ３９に基づいてＷｉ−Ｆｉ基礎接続データ２５を生成する（Ｓ２１０）。それぞれのＣＰＵ３２は、生成したＷｉ−Ｆｉ基礎接続データ２５に基づいて、簡単伝送ＳＳＩＤ３７を含むＷｉ−Ｆｉ通信接続条件データ２６を生成する（Ｓ２１１）。それぞれのＣＰＵ３２は、Ｗｉ−Ｆｉ無線送受信部１１に、Ｗｉ−Ｆｉ通信接続条件データ２６に含まれる簡単伝送ＳＳＩＤ３７をデータ蓄積装置５へ送信させる（Ｓ２１２）。
【００８９】
データ蓄積装置５のＣＰＵ５６は、Ｗｉ−Ｆｉ無線送受信部２０が簡単伝送ＳＳＩＤ３７を受信したことに応じて、簡単伝送ＳＳＩＤ３７を受信したことを示す「有り」を検出する（Ｓ２１３）。ＣＰＵ５６は、「有り」を検出したこと応じて、複数の携帯電子装置２がクライアント装置であると認知する（Ｓ２１４）。ＣＰＵ５６は、Ｗｉ−Ｆｉ無線送受信部２０に複数のクライアントＩＰアドレスを複数の携帯電子装置２に送信させる（Ｓ２１５）。複数の携帯電子装置２のＣＰＵ３２は、Ｗｉ−Ｆｉ無線送受信部１１がクライアントＩＰアドレスを受信したことに応じて、クライアントＩＰアドレスをぞれぞれの携帯電子装置２のＩＰアドレスとして設定する（Ｓ２１６）。
【００９０】
第４回目送信操作として、送信ＯＫ画面６７に表示される送信アイコン６８が指６５によって矢印方向に横滑りタッチされたことに応じて（Ｓ２１７）、それぞれのＣＰＵ３２は、Ｗｉ−Ｆｉ無線送受信部１１に画像フォルダ６２をデータ蓄積装置５へ送信させる（Ｓ２１８）。データ蓄積装置５のＷｉ−Ｆｉ無線送受信部２０は、複数の携帯電子装置２から画像フォルダ６２を受信する（Ｓ２１９）。データ蓄積装置５は、受信した画像フォルダ６２を携帯電子装置２の機器名（ＩＤ）を関連付けて大型画面データ表示装置６に表示させる（Ｓ２２０）。これにより、大型画面データ表示装置６は、複数の携帯電子装置２から送信された画像フォルダ６２を拡大させて、携帯電子装置２の機器名（ＩＤ）とともに表示することができる。
【００９１】
次に、本発明の第２の実施形態に係る簡易操作型無線データ送受信システム１について説明する。図１１は、本発明の実施形態に係る簡易操作型無線データ送受信システム１の構成を示す。簡易操作型無線データ送受信システム１は、携帯電子装置２として複数の携帯電子装置２ａ乃至２ｃを備える。携帯電子装置２ａ乃至２ｃは、他の携帯電子装置２と近接通信無線信号８により近接通信を行うためのＩＣカード３と、近接通信データリーダ／ライタ部９と、広帯域無線信号１０によりＷｉ−Ｆｉインフラストラクチャモードで電子データ１２を送受信するＷｉ−Ｆｉ無線送受信部１１とを備える。簡易操作型無線データ送受信システム１は、いずれの携帯電子装置２ａ乃至２ｃがアクセスポイントとなるアクセスポイント装置又はクライアントとなるクライアント装置であるかをユーザに判らせることにより、電子データ１２をユーザにとって直感的かつ明示的に簡単操作で送受信する。
【００９２】
ＩＣカード３のＮＦＣデータ記憶部４０は、ＮＦＣ・ＩＤデータ３９の他にフリー領域を具備し、Ｗｉ−Ｆｉ基礎接続データ２５又はＷｉ−Ｆｉ通信接続条件データ２６は、ＮＦＣデータとしてフリー領域内に格納されてもよい。また、携帯電子装置２ａ乃至２ｃのＣＰＵ３２は、ＮＦＣ制御素子４４の機能をエミュレートする構成であっても構わない。さらに、近接コンタクト部４３は、電磁波を利用するコイル型、又はキャパシタンスを使用するプレート型ではなく、赤外線による近接通信のための赤外線素子であっても構わない。この場合は、近接通信データリーダ／ライタ部９は赤外線を送受信するリーダライタである。
【００９３】
携帯電子装置２ａ乃至２ｃのデータ表示部１４は、アクセスポイント指示アイコン７７と、アクセスポイント表示アイコン７８と、クライアント表示アイコン７９と、横一列に並べられた４つのＷｉ−Ｆｉ通信状態表示アイコン８０を表示する。携帯電子装置２ａ乃至２ｃの内、一台の携帯電子装置２ａがアクセスポイント装置に指定される場合について説明する。ユーザは、携帯電子装置２ａのデータ表示部１４が表示するアクセスポイント指示アイコン７７をタッチする。アクセスポイント指示アイコン７７がタッチされたことに応じて、携帯電子装置２ａのＣＰＵ３２は、携帯電子装置２ａをアクセスポイント装置に指定する。携帯電子装置２ａのデータ表示部１４は、携帯電子装置２ａがアクセスポイント装置に指定されたことに応じて、アクセスポイント表示アイコン７８を明るく点灯表示する。
【００９４】
なお、携帯電子装置２ａのＣＰＵ３２は、アクセスポイント指示アイコン７７がタッチされる他に、携帯電子装置２ａが振動させられ、又はマイク２９に「アクセスポイント」という声が発声されたことに応じて、携帯電子装置２ａをアクセスポイント装置に指定しても構わない。
【００９５】
携帯電子装置２ａのＣＰＵ３２は、Ｗｉ−Ｆｉ送信開始と同時に、データ表示部１４にＷｉ−Ｆｉ通信状態表示アイコン８０を左から順に点灯させ、Ｗｉ−Ｆｉ送信準備完了時に全てのＷｉ−Ｆｉ通信状態表示アイコン８０を点灯させる。これにより、ユーザは、携帯電子装置２ａにおけるＷｉ−Ｆｉ送信準備状態を知ることができる。アクセスポイント装置に指定されなかった他の携帯電子装置２ｂのユーザは、携帯電子装置２ａに携帯電子措置２ｂを近接させる。携帯電子装置２ｂの近接通信データリーダ／ライタ部９は、携帯電子装置２ａに内蔵されたＩＣカード３に記憶されるＮＦＣデータを、近接通信無線信号８を介して受信する。携帯電子装置２ｂのＷｉ−Ｆｉ無線送受信部１１は、Ｗｉ−Ｆｉ通信接続条件データ２６に含まれる簡単伝送ＳＳＩＤ３７を送信する。ここで、簡単伝送ＳＳＩＤ３７は、携帯電子装置２ａ及び携帯電子装置２ｂに共通な同一のＳＳＩＤである。
【００９６】
続いて、携帯電子装置２ａは、クライアントＩＰアドレスを携帯電子装置２ｂに送信し、携帯電子装置２ｂがクライアントＩＰアドレスを受信したことに応じて、携帯電子装置２ｂをクライアント装置と認定する。携帯電子装置２ｂのデータ表示部１４は、クライアント表示アイコン７９を点灯させる。さらに、携帯電子装置２ｂのデータ表示部１４は、４つのＷｉ−Ｆｉ通信状態表示アイコン８０を点灯させることによって、携帯電子装置２ｂにおける送受信状態を表示する。このように携帯電子装置２ａ及び２ｂは、それぞれのデータ表示部１４にアクセスポイント装置とクライアント装置の関係を明示させ、互いに近接したことに応じて、自動的にＷｉ−Ｆｉ通信を確立する。これにより、ユーザは、信頼できるアクセスポイント装置とクライアント装置の持ち主であることを認識することができる。
【００９７】
簡易操作型無線データ送受信システム１は、例えば、画像フォルダ６２等の送受信対象である電子データ１２を、アクセスポイント指示アイコン７７のタッチと、フォルダ選択画面６３のタッチと、携帯電子装置２ａ及び２ｂの装置同士を近接させるタッチと、電子データ１２を送信させるタッチのわずか４回のタッチで、あたかも人が握手を交わすような直感的な操作で電子データ１２を送受信することができる。このとき、ユーザは、データ表示部１４をタッチするのはなく、携帯電子装置２を振動させ、又はマイク２９に声を発声する直感的な操作によって電子データ１２を送受信しても構わない。
【００９８】
携帯電子装置２ａがアクセスポイント装置になると、携帯電子装置２ａに最初に近接させられ、クライアントＩＰアドレスを受信した携帯電子装置２ｂが、最初のクライアント装置となる。次に、携帯電子装置２ａに近接させられ、クライアントＩＰアドレスを受信した携帯電子装置２ｃが、２番目のクライアント装置となる。このように、次々に携帯電子装置２をアクセスポイント装置に近接させる簡単な方法で、アクセスポイント装置を中心として複数の携帯電子装置２を結ぶ１：Ｎ接続の無線ＬＡＮによるネットワークを構成することができる。
【００９９】
簡易操作型無線データ送受信システム１は、近接通信（ＮＦＣ）狭帯域モードによりＷｆ−Ｆｉ通信接続条件データ２６をアクセスポイント装置からクライアント装置に送受信させる方法を使用して、広帯域Ｗｉ−Ｆｉインフラストラクチャモードネットワークを確立させる。従来のシステムでは、近接通信のみによる広帯域通信ではＬＡＮによるネットワークを形成できず、Ｗｉ−ＦｉのＬＡＮのみでは、パスワードやＳＳＩＤ設定など複雑な入力が必要であった。本実施形態に係る簡易操作型無線データ送受信システム１では、直感的で極めて簡単な操作で広帯域Ｗｉ−Ｆｉインフラストラクチャモードネットワークにより電子データ１２を送受信することができる。
【０１００】
図１２は、本実施形態に係る簡易操作型無線データ送受信システム１における電子データ１２の送受信処理のフローを示す。簡易操作型無線データ送受信システム１は、携帯電子装置２ａ及び携帯電子装置２ｂを備える。ここで、携帯電子装置２ａはアクセスポイント装置に指定され、携帯電子装置２ｂはクライアント装置に指定されるものとする。携帯電子装置２ａ及び携帯電子装置２ｂは、ユーザによって、電源が供給され、かつ電子データ１２を送受信する簡易型送受信システムがそれぞれ起動される（Ｓ３０１及びＳ３０２）。携帯電子装置２ａは、ユーザによって、データ表示部１４に表示されているアクセスポイント指示アイコン７７が第１回送信操作としてタッチされる（Ｓ３０３）。これにより、携帯電子装置２ａのタッチパネル入力操作部２７は、アクセスポイント指示アイコン７７がタッチされたことを検知する。
【０１０１】
アクセスポイント指示アイコン７７がタッチされると、携帯電子装置２ａのＣＰＵ３２は、直ちにＷｉ−Ｆｉ通信接続条件データ２６を作成する（Ｓ３０４）。本発明の第１の実施形態に係るＣＰＵ３２は、ＩＣカード３のＮＦＣデータ記憶部４０にある不揮発性メモリ領域のＮＦＣ・ＩＤデータ３９からＷｉ−Ｆｉ基礎接続データ２５を生成し、簡易伝送ＳＳＩＤ３７他セキュリティ条件、パスワード等のＷｉ−Ｆｉ通信接続条件データ２６を生成する。それに対し、本実施形態に係るＣＰＵ３２は、ＮＦＣ・ＩＤデータ３９とは別に、携帯電子装置２ａのデータ記憶部１３にＷｉ−Ｆｉ通信接続条件データ２６を独自に作成する。ＣＰＵ３２は、携帯電子装置２ａをアクセスポイント装置に指定した後（Ｓ３０５）、データ表示部１４にアクセスポイント表示アイコン７８を点灯させる（Ｓ３０６）。
【０１０２】
ユーザは、点灯したアクセスポイント表示アイコン７８を視認したことに応じて、第２回目送信操作として、携帯電子装置２ａと携帯電子装置２ｂとを近接させる。携帯電子装置２ａのＣＰＵ３２は、携帯電子装置２ａの近接通信データリーダ／ライタ部９に、近接通信無線信号８を介して携帯電子装置２ｂに内蔵されたＩＣカード３のＮＦＣ・ＩＤデータ３９を検知させる（Ｓ３０７）。携帯電子装置２ａのＣＰＵ３２は、データ表示部１４にＷｉ−Ｆｉ通信状態表示アイコン８０の内左端の一つを点滅させる（Ｓ３０８）。データ表示部１４において、左端のＷｉ−Ｆｉ通信状態表示アイコン８０のみが点灯している状態は、Ｗｉ−Ｆｉ通信が開始したことを意味する。次に、携帯電子装置２ａのＣＰＵ３２は、データ記憶部１３に記憶されているＷｉ−Ｆｉ通信接続条件データ２６を携帯電子装置２ｂのＮＦＣデータ記憶部４０に設けられたフリー領域に転送する（Ｓ３０９）。
【０１０３】
携帯電子装置２ｂの近接通信データリーダ／ライタ部９は、近接通信無線信号８を介して、携帯電子装置２ａによって作成されたＷｉ−Ｆｉ通信接続条件データ２６を受信する（Ｓ３１０）。このＷｉ−Ｆｉ通信接続条件データ２６は、携帯電子装置２ａ及び携帯電子装置２ｂにおいて共通に使用される簡単伝送ＳＳＩＤ３７を含む。携帯電子装置２ｂのＣＰＵ３２は、Ｗｉ−Ｆｉ通信接続条件データ２６を近接通信受信したことに応じて、データ表示部１４にＷｉ−Ｆｉ通信状態表示アイコン８０の内左端の一つを点滅させる（Ｓ３１１）。データ表示部１４において、左端のＷｉ−Ｆｉ通信状態表示アイコン８０のみが点灯している状態は、Ｗｉ−Ｆｉ通信が開始したことを意味する。さらに、携帯電子装置２ｂのＣＰＵ３２は、Ｗｉ−Ｆｉ無線送受信部１１に、アクセスポイント装置である携帯電子装置２ａに対して、簡単伝送ＳＳＩＤ３７をＷｉ−Ｆｉの広帯域無線信号１０を介して発信させる（Ｓ３１２）。
【０１０４】
アクセスポイント装置である携帯電子装置２ａのＣＰＵ３２は、Ｗｉ−Ｆｉ無線送受信部１１が簡単伝送ＳＳＩＤ３７を受信したことに応じて（Ｓ３１３）、携帯電子装置２ｂをクライアント装置と認知する（Ｓ３１４）。携帯電子装置２ａのＣＰＵ３２は、Ｗｉ−Ｆｉ無線送受信部１１に、クライアントＩＰアドレスを携帯電子装置２ｂに対して、広帯域無線信号１０を介して送信させる（Ｓ３１５）。携帯電子装置２ａのＣＰＵ３２は、データ表示部１４に全てのＷｉ−Ｆｉ通信状態表示アイコン８０を点灯させる（Ｓ３１６）。データ表示部１４において、４つのＷｉ−Ｆｉ通信状態表示アイコン８０の全てが点灯している状態は、Ｗｉ−Ｆｉ送受信通信の準備が完了したことを意味する。
【０１０５】
携帯電子装置２ｂのＣＰＵ３２は、Ｗｉ−Ｆｉ無線送受信部１１がクライアントＩＰアドレスを受信したことに応じて、携帯電子装置２ｂのＩＰアドレスをクライアントＩＰアドレスに設定する（Ｓ３１７）。携帯電子装置２ａのＣＰＵ３２は、データ表示部１４にクライアント表示アイコン７９を点灯させ（Ｓ３１８）、さらに、データ表示部１４に全てのＷｉ−Ｆｉ通信状態表示アイコン８０を点灯させる（Ｓ３１９）。データ表示部１４において、４つのＷｉ−Ｆｉ通信状態表示アイコン８０の全てが点灯している状態は、Ｗｉ−Ｆｉ送受信通信の準備が完了したことを意味する。
【０１０６】
次に、携帯電子装置２ｂのＣＰＵ３２は、データ表示部１４に、送信される電子データ１２をユーザに選択させるための電子データ選択画面を表示させる（Ｓ３２０）。電子データ１２に表示されたアイコンが、第３回目送信操作としてユーザにタッチされたことに応じて、携帯電子装置２ｂのＣＰＵ３２は、タッチパネル入力操作部２７にアイコンがタッチされたことを検知させる（Ｓ３２１）。次に、携帯電子装置２ｂのＣＰＵ３２は、第４回目送信操作としてユーザによって携帯電子装置２ｂがスイングされるか、データ表示部１４に対して電子データ１２を送信する操作がなされたことに応じて、加速度センサ２８又はタッチパネル入力操作部２７に電子データ１２を送信するための送信操作を検知させる（Ｓ３２２）。
【０１０７】
携帯電子装置２ｂのＣＰＵ３２は、送信すべき電子データ１２が選択されているか否かを判定し（Ｓ３２３）電子データ１２が選択されていないと判定すると（Ｓ３２３でＮｏ）、ステップＳ３２０を実行する。一方、携帯電子装置２ｂのＣＰＵ３２は、電子データ１２が選択されていると判定すると（Ｓ３２３でＹｅｓ）、Ｗｉ−Ｆｉ無線送受信部１１に電子データ１２を広帯域無線信号１０を介して送信させる（Ｓ３２４）。携帯電子装置２ｂのＣＰＵ３２は、データ表示部１４に送信完了を表示させる（Ｓ３２５）。携帯電子装置２ａのＣＰＵ３２は、Ｗｉ−Ｆｉ無線送受信部１１が電子データ１２を受信したことに応じて（Ｓ３２６）、データ表示部１４に受信完了を表示させる（Ｓ３２７）。このように、ユーザは、二つの装置を近接させて、タッチ又はスイングによる簡単操作を４回実行することにより、互いの送受信状態を明示的に確認しながら人が握手をするような直感的な操作で、無線ＬＡＮによる広帯域の電子データ１２を機器に送受信させることができる。
【０１０８】
次に、本発明の第３の実施形態に係る簡易操作型無線データ送受信システム１について説明する。図１３は、本発明の実施形態に係る簡易操作型無線データ送受信システム１の構成を示す。簡易操作型無線データ送受信システム１は、携帯電子装置２、据置電子装置４、及びデータ蓄積装置５として、携帯電子装置２ｄ、据置電子装置４ａ、及びデータ蓄積装置５ａを備える。ここで、据置電子装置４ａとデータ蓄積装置５ａは、携帯電子装置２ｄを介して同一の簡単伝送ＳＳＩＤ３７によって、Ｗｉ−ＦｉのＬＡＮネットワークが確立される。
【０１０９】
携帯電子装置２ｄは、ＩＣカード３と、近接通信データリーダ／ライタ部９と、広帯域無線信号１０によりＷｉ−Ｆｉインフラストラクチャモードで送受信するＷｉ−Ｆｉ無線送受信部１１と、データ表示部１４を備える。データ表示部１４は、アクセスポイント指示アイコン７７と、アクセスポイント表示アイコン７８と、クライアント表示アイコン７９を表示する。据置電子装置４ａは、ＩＣカード３と、近接通信データリーダ／ライタ部１５と、Ｗｉ−Ｆｉ無線送受信部１６と、データ記憶部１７と、データ表示部１８とを備える。データ表示部１８は、アクセスポイント指示アイコン７７と、アクセスポイント表示アイコン７８と、クライアント表示アイコン７９と、横一列に並べられた４つのＷｉ−Ｆｉ通信状態表示アイコン８０を表示する。
【０１１０】
データ蓄積装置５ａは、ＩＣカード３と、近接通信データリーダ／ライタ部１９と、Ｗｉ−Ｆｉ無線送受信部２０と、データ記憶部２１とを備える。データ蓄積装置５ａは、その側面にアクセスポイント指示アイコン７７と同機能のアクセスポイント指示スイッチ８１を備え、その前面に、アクセスポイント表示アイコン７８と同機能のアクセスポイント表示ランプ８２と、クライアント表示アイコン７９と同機能のクライアント表示ランプ８３と、Ｗｉ−Ｆｉ通信状態表示アイコン８０と同機能の横一列に並べられた４つのＷｉ−Ｆｉ通信状態表示ランプ８４を備える。
【０１１１】
簡易操作型無線データ送受信システム１において、Ｗｉ−ＦｉのＬＡＮネットワークが確立されるとき、携帯電子装置２ｄ、据置電子装置４ａ、及びデータ蓄積装置５ａは、ユーザによって電源が供給され、かつ電子データ１２を送受信する簡易型送受信システムがそれぞれ起動される。データ蓄積装置５ａは、アクセスポイント指示スイッチ８１がユーザによって押下されることにより、アクセスポイント装置に設定される。携帯電子装置２ｄは、ユーザによってアクセスポイント装置であるデータ蓄積装置５ａに近接させられ、データ蓄積装置５ａにあるＷｉ−Ｆｉ通信接続条件データ２６を近接通信により受信する。Ｗｉ−Ｆｉ通信接続条件データ２６は、簡単伝送ＳＳＩＤ３７を含む。
【０１１２】
次に、携帯電子装置２ｄは、ユーザによって据置電子装置４ａに近接させられ、データ蓄積装置５ａから受信したＷｉ−Ｆｉ通信接続条件データ２６を据置電子装置４ａの近接通信データリーダ／ライタ部１５に取得させる。このように、ユーザは、携帯電子装置２ｄを用いて、人がバトンを手渡すような動作で、Ｗｉ−Ｆｉ通信接続条件データ２６に含まれる簡単伝送ＳＳＩＤ３７をアクセスポイント装置であるデータ蓄積装置５ａからクライアント装置となる据置電子装置４ａへ送信することができる。これにより、据置電子装置４ａ及びデータ蓄積装置５ａは、共通で同一のＳＳＩＤによってＷｉ−ＦｉのＬＡＮネットワークが確立される。
【０１１３】
図１４は、本実施形態に係る簡易操作型無線データ送受信システム１における電子データ１２の送受信処理のフローを示す。簡易操作型無線データ送受信システム１は、データ蓄積装置５ａ、携帯電子装置２ｄ、及び据置電子装置４ａを備える。ここで、データ蓄積装置５ａはアクセスポイント装置となり、据置電子装置４ａはクライアント装置となる。データ蓄積装置５ａ、携帯電子装置２ｄ、及び据置電子装置４ａは、ユーザによって、電源が供給され、かつ電子データ１２を送受信する簡易型送受信システムがそれぞれ起動される（Ｓ４０１乃至Ｓ４０３）。データ蓄積装置５ａのＣＰＵ５６は、第１回目送信操作としてデータ蓄積装置５ａの側面に設けられたアクセスポイント指示スイッチ８１がユーザに押下されたことを検知する（Ｓ４０４）。ＣＰＵ５６は、アクセスポイント指示スイッチ８１が押下されたことに応じて、Ｗｉ−Ｆｉ通信接続条件データ２６を作成し（Ｓ４０５）、データ蓄積装置５ａをアクセスポイント装置に指定する（Ｓ４０６）。
【０１１４】
次に、ＣＰＵ５６は、データ蓄積装置５ａの前面に設けられたアクセスポイント表示ランプ８２を点灯させる（Ｓ４０７）。その後、ＣＰＵ５６は、第２回目送信操作として、ユーザによって携帯電子装置２ｄがデータ蓄積装置５ａに近接させられると、データ蓄積装置５ａの近接通信データリーダ／ライタ部１９に携帯電子装置２ｄに内蔵されているＩＣカード３を検知させる（Ｓ４０８）。ＣＰＵ５６は、近接通信データリーダ／ライタ部１９が携帯電子装置２ｄのＩＣカード３を検知したことに応じて、Ｗｉ−Ｆｉ通信の開始をユーザに知らせるＷｉ−Ｆｉ通信状態表示ランプ８４の左端の一つを点灯させる（Ｓ４０９）。さらに、ＣＰＵ５６は、データ記憶部２１に作成されているＷｉ−Ｆｉ通信接続条件データ２６を、内蔵されているＩＣカード３のＮＦＣデータ記憶部４０のフリー領域に転送する（Ｓ４１０）。
【０１１５】
ＩＣカード３を内蔵した携帯電子装置２ｄは、近接通信無線信号８を介して、ＮＦＣデータ記憶部４０のフリー領域に転送されたＷｉ−Ｆｉ通信接続条件データ２６を受信する（Ｓ４１１）。携帯電子装置２ｄは、第３回目送信操作として、ユーザによって据置電子装置４ａに近接させられる。据置電子装置４ａのＣＰＵ５０は、近接通信データリーダ／ライタ部１５に、データ蓄積装置５ａから携帯電子装置２ｄに受信されたＷｉ−Ｆｉ通信接続条件データ２６を受信させる（Ｓ４１２）。このＷｉ−Ｆｉ通信接続条件データ２６は、簡単伝送ＳＳＩＤ３７を含む。ＣＰＵ５０は、Ｗｉ−Ｆｉ通信接続条件データ２６をＮＦＣ受信したことに応じて、データ表示部１４にＷｉ−Ｆｉ通信状態表示アイコン８０の内左端の一つを点滅させる（Ｓ４１３）。さらに、ＣＰＵ５０は、Ｗｉ−Ｆｉ無線送受信部１６に、アクセスポイント装置であるデータ蓄積装置５ａに対して、簡単伝送ＳＳＩＤ３７をＷｉ−Ｆｉの広帯域無線信号１０を介して発信させる（Ｓ４１４）。
【０１１６】
アクセスポイント装置であるデータ蓄積装置５ａのＣＰＵ５６は、Ｗｉ−Ｆｉ無線送受信部２０が簡単伝送ＳＳＩＤ３７を受信したことに応じて（Ｓ４１５）、据置電子装置４ａをクライアント装置と認知する（Ｓ４１６）。ＣＰＵ５６は、Ｗｉ−Ｆｉ無線送受信部２０に、クライアントＩＰアドレスを据置電子装置４ａに対して、広帯域無線信号１０を介して送信させる（Ｓ４１７）。ＣＰＵ５６は、全てのＷｉ−Ｆｉ通信状態表示ランプ８４を点灯させる（Ｓ４１８）。ここで、４つのＷｉ−Ｆｉ通信状態表示ランプ８４の全てが点灯している状態は、Ｗｉ−Ｆｉ送受信通信の準備が完了したことを意味する。
【０１１７】
据置電子装置４ａのＣＰＵ５０は、Ｗｉ−Ｆｉ無線送受信部１６がクライアントＩＰアドレスを受信したことに応じて、据置電子装置４ａのＩＰアドレスをクライアントＩＰアドレスに設定する（Ｓ４１９）。ＣＰＵ５０は、データ表示部１８にクライアント表示アイコン７９を点灯させ（Ｓ４２０）、さらに、データ表示部１８に全てのＷｉ−Ｆｉ通信状態表示アイコン８０を点灯させる（Ｓ４２１）。データ表示部１８において、４つのＷｉ−Ｆｉ通信状態表示アイコン８０の全てが点灯している状態は、Ｗｉ−Ｆｉ送受信通信の準備が完了したことを意味する。
【０１１８】
次に、ＣＰＵ５０は、データ表示部１８に、送信される電子データ１２をユーザに選択させるための電子データ選択画面を表示させる（Ｓ４２２）。電子データ１２に表示されたアイコンが、第４回目送信操作としてユーザにタッチされたことに応じて、ＣＰＵ５０は、タッチパネル入力操作部４６にアイコンがタッチされたことを検知させる（Ｓ４２３）。次に、ＣＰＵ５０は、第５回目送信操作としてユーザによって据置電子装置４ａに音声が入力されるか、データ表示部１８に対して電子データ１２を送信する操作がなされたことに応じて、音声処理部４８又はタッチパネル入力操作部４６に電子データ１２を送信するための送信操作を検知させる（Ｓ４２４）。
【０１１９】
ＣＰＵ５０は、送信すべき電子データ１２が選択されているか否かを判定し（Ｓ４２５）電子データ１２が選択されていないと判定すると（Ｓ４２５でＮｏ）、ステップＳ４２２を実行する。一方、ＣＰＵ５０は、電子データ１２が選択されていると判定すると（Ｓ４２５でＹｅｓ）、Ｗｉ−Ｆｉ無線送受信部１６に電子データ１２を、広帯域無線信号１０を介して送信させる（Ｓ４２６）。ＣＰＵ５０は、データ表示部１８に送信完了を表示させる（Ｓ４２７）。データ蓄積装置５ａのＣＰＵ５６は、Ｗｉ−Ｆｉ無線送受信部２０が電子データ１２を受信したことに応じて（Ｓ４２８）、データ表示部２２に受信完了を表示させる（Ｓ４２９）。
【０１２０】
このように、簡易操作型無線データ送受信システム１は、Ｗｉ−Ｆｉ通信接続条件データ２６に含まれている簡単伝送ＳＳＩＤ３７をデータ蓄積装置５ａや据置電子装置４ａ等の複数の電子装置に共通のＳＳＩＤとして使用させる。これにより、データ蓄積装置５ａと据置電子装置４ａは、Ｗｉ−Ｆｉインフラストラクチャモードの無線ＬＡＮ接続を確立して電子データ１２を送受信する。ユーザは、あたかも陸上リレー競技でバトンタッチされるバトンのように、携帯電子装置２ｄを一方の電子装置から他方の電子装置へ２度近接させることにより、電子データ１２を送受信することができる。ユーザは、このような人間の習慣に基づく直観的な操作で、かつ送信したい電子データ１２に関連付けられたアイコンをタッチし、操作回数の少ない簡単操作で電子データ１２を送受信することが可能となる。
【図１】
2013031144.tif 000003
【図２】
2013031144.tif 000004
【図３】
2013031144.tif 000005
【図４】
2013031144.tif 000006
【図５】
2013031144.tif 000007
【図６】
2013031144.tif 000008
【図７】
2013031144.tif 000009
【図８】
2013031144.tif 000010
【図９】
2013031144.tif 000011
【図１０】
2013031144.tif 000012
【図１１】
2013031144.tif 000013
【図１２】
2013031144.tif 000014
【図１３】
2013031144.tif 000015
【図１４】
2013031144.tif 000016
【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
第１電子装置と第２電子装置からなる複数の電子装置の間で、Ｗｉ−Ｆｉインフラストラクチャモードの無線通信方式により電子データを送受信する簡易操作型無線データ送受信システムにおいて、
前記電子装置は、ユーザの操作を検出するユーザ操作検出部と、電子データを記憶するデータ記憶部と、前記電子データのタイトル又は該電子データに関連付けられたアイコンを表示するデータ表示部と、装置全体を制御する制御部と、装置全体を制御する制御プログラムを記憶する主記憶部と、無線により該電子データを送受信するＷｉ−Ｆｉ無線送受信部と、前記第１電子装置及び前記第２電子装置で共通に使用されるＷｉ−Ｆｉ基礎接続データ及びＷｉ−Ｆｉ通信接続条件データを受信する近接通信データリーダ／ライタ部と、を備え、
前記第２電子装置の前記Ｗｉ−Ｆｉ無線送受信部は、前記Ｗｉ−Ｆｉ通信接続条件データに含まれる無線ネットワーク識別子（ＳＳＩＤ）を前記第１電子装置に対して発信し、
前記第１電子装置の前記Ｗｉ−Ｆｉ無線送受信部は、前記無線ネットワーク識別子を受信し、前記第２電子装置をクライアント装置に指定するためのクライアントＩＰアドレスを、該第２電子装置に発信し、
前記電子装置の前記ユーザ操作検出部は、前記データ表示部に表示された前記タイトル又は前記アイコンがユーザによって選択される操作と、該タイトル又は該アイコンに関連付けられた前記電子データを送信する送信操作とが実行されたことを検出し、
前記電子装置の制御部は、前記ユーザ操作検出部が前記選択操作及び前記送信操作を検出したことに応じて、前記Ｗｉ−Ｆｉ無線送受信部に前記電子データを送受信させることを特徴とする簡易操作型無線データ送受信システム。
【請求項２】
前記制御部は、前記Ｗｉ−Ｆｉ無線送受信部が前記無線ネットワーク識別子を受信したか否かを検知し、該Ｗｉ−Ｆｉ無線送受信部が所定時間内に該無線ネットワーク識別子を検知しなかったことに応じて、該電子装置をアクセスポイント装置に指定することを特徴とする請求項１に記載の簡易操作型無線データ送受信システム。
【請求項３】
ＮＦＣ・ＩＤデータを記憶するＩＣカードをさらに備え、
前記ＩＣカードは、前記第１電子装置及び前記第２電子装置から分離された単体として形成されるか、該第１電子装置又は該第２電子装置と一体に形成され、
前記近接通信データリーダ／ライタ部は、前記ＩＣカードが近接させられたことに応じて、該ＩＣカードからＮＦＣ・ＩＤデータを取得し、
前記制御部は、前記近接通信データリーダ／ライタ部が取得した該ＮＦＣ・ＩＤデータに基づいて前記Ｗｉ−Ｆｉ通信接続条件データを生成することを特徴とする請求項１に記載の簡易操作型無線データ送受信システム。
【請求項４】
前記ユーザ操作検出部は、前記電子装置が動かされたことによる加速度を検知して加速度出力信号を出力する加速度センサをさらに備え、
前記制御部は、前記加速度センサによって出力された前記加速度出力信号の振幅値、該加速度出力信号が出力された回数、又は該加速度出力信号が出力された時間間隔に基づいて、前記Ｗｉ−Ｆｉ無線送受信部に前記電子データを送信させることを特徴とする請求項１に記載の簡易操作型無線データ送受信システム。
【請求項５】
前記ユーザ操作検出部は、ユーザが発声する音を検知するマイクと、該音を検知して音声出力信号若しくは音声記号として出力し、又は該音についての声紋を認識する音声処理部とをさらに備え、
前記制御部は、前記音声処理部によって出力された前記音声出力信号の波形若しくは周波数、又は前記音声記号若しくは前記声紋に基づいて、前記Ｗｉ−Ｆｉ無線送受信部に前記電子データを送信させることを特徴とする請求項１に記載の簡易操作型無線データ送受信システム。
【請求項６】
前記電子装置は、前記Ｗｉ−Ｆｉ通信接続条件データを記憶するＮＦＣデータ記憶部を具備するＩＣカードをさらに備え、
前記第１電子装置の前記制御部は、該第１電子装置に対して、電源を供給するための操作、前記電子データを送受信するための操作、又は該第１電子装置をアクセスポイント装置に指定する操作のいずれかが実行されたことに応じて、該第１電子装置をアクセスポイント装置に指定し、
前記第２電子装置の前記近接通信データリーダ／ライタ部は、前記第１電子装置のＮＦＣデータ記憶部に記憶された前記Ｗｉ−Ｆｉ通信接続条件データを受信することを特徴とする請求項１に記載の簡易操作型無線データ送受信システム。
【請求項７】
前記電子装置として、第３電子装置をさらに備え、
前記第１電子装置乃至前記第３電子装置は、前記Ｗｉ−Ｆｉ通信接続条件データを記憶するＮＦＣデータ記憶部を具備するＩＣカードを備え、
前記第３電子装置の前記近接通信データリーダ／ライタ部は、前記第１電子装置のＮＦＣデータ記憶部に記憶された前記Ｗｉ−Ｆｉ通信接続条件データを受信し、
前記第２電子装置の前記近接通信データリーダ／ライタ部は、前記第３電子装置の前記ＮＦＣデータ記憶部に記憶された前記Ｗｉ−Ｆｉ通信接続条件データを受信することを特徴とする請求項１に記載の簡易操作型無線データ送受信システム。
【請求項８】
第１コンピュータと第２コンピュータからなる複数のコンピュータ間で、Ｗｉ−Ｆｉインフラストラクチャモードの無線通信方式により電子データを送受信する簡易操作型無線データ送受信プログラムにおいて、
前記コンピュータは、ユーザの操作を検出するユーザ操作検出部と、電子データを記憶するデータ記憶部と、前記電子データのタイトル又はアイコンを表示するデータ表示部と、装置全体を制御する制御部と、装置全体を制御する制御プログラムを記憶する主記憶部と、無線により該電子データを送受信するＷｉ−Ｆｉ無線送受信部と、前記第１コンピュータ及び前記第２コンピュータで共通に使用されるＷｉ−Ｆｉ基礎接続データ及びＷｉ−Ｆｉ通信接続条件データを受信する近接通信データリーダ／ライタ部と、を備え、
前記第２コンピュータの前記制御部に、
該第２コンピュータの前記Ｗｉ−Ｆｉ無線送受信部に、前記Ｗｉ−Ｆｉ通信接続条件データに含まれる無線ネットワーク識別子（ＳＳＩＤ）を該第１コンピュータに対して発信させるステップと、
前記第１コンピュータの前記制御部に、
該第１コンピュータの前記Ｗｉ−Ｆｉ無線送受信部に、前記無線ネットワーク識別子を受信させ、前記第２コンピュータをクライアントコンピュータに指定するためのクライアントＩＰアドレスを、該第２コンピュータに発信させるステップと、
前記コンピュータの前記制御部に、
ユーザ操作検出部に、前記データ表示部に表示された前記タイトル又は前記アイコンがユーザによって選択される操作と、該タイトル又は該アイコンに関連付けられた前記電子データを送信する送信操作とが実行されたことを検出させるステップと、
前記ユーザ操作検出部が前記選択操作及び前記送信操作を検出したことに応じて、前記Ｗｉ−Ｆｉ無線送受信部に前記電子データを送受信させるステップと、をコンピュータに実行させることを特徴とする簡易操作型無線データ送受信プログラム。
【請求項９】
前記制御部に、前記Ｗｉ−Ｆｉ無線送受信部が前記無線ネットワーク識別子を受信したか否かを検知させ、該Ｗｉ−Ｆｉ無線送受信部が所定時間内に該無線ネットワーク識別子を検知しなかったことに応じて、該コンピュータをアクセスポイント装置に指定させるステップをコンピュータに実行させることを特徴とする請求項８に記載の簡易操作型無線データ送受信プログラム。
【請求項１０】
前記第１コンピュータ及び前記第２コンピュータから分離されて形成されたＮＦＣ・ＩＤデータを記憶するＩＣカード、又は前記第１コンピュータ又は前記第２コンピュータと一体に形成された該ＩＣカードが前記近接通信データリーダ／ライタ部に近接させられたことに応じて、
前記制御部に、
前記近接通信データリーダ／ライタ部に前記ＩＣカードからＮＦＣ・ＩＤデータを取得させるステップと、
前記近接通信データリーダ／ライタ部が取得した該ＮＦＣ・ＩＤデータに基づいて前記Ｗｉ−Ｆｉ通信接続条件データを生成するステップと、をコンピュータに実行させることを特徴とする請求項８に記載の簡易操作型無線データ送受信プログラム。
【請求項１１】
前記ユーザ操作検出部は、前記コンピュータが動かされたことによる加速度を検知して加速度出力信号を出力する加速度センサをさらに備え、
前記制御部に、前記加速度センサによって出力された前記加速度出力信号の振幅値、該加速度出力信号が出力された回数、又は該加速度出力信号が出力された時間間隔に基づいて、前記Ｗｉ−Ｆｉ無線送受信部に前記電子データを送信させるステップをコンピュータに実行させることを特徴とする請求項８に記載の簡易操作型無線データ送受信プログラム。
【請求項１２】
前記ユーザ操作検出部は、ユーザが発声する音を検知するマイクと、該音を検知して音声出力信号若しくは音声記号として出力し、又は該音についての声紋を認識する音声処理部とをさらに備え、
前記制御部に、前記音声処理部によって出力された前記音声出力信号の波形若しくは周波数、又は前記音声記号若しくは前記声紋に基づいて、前記Ｗｉ−Ｆｉ無線送受信部に前記電子データを送信させるステップをコンピュータに実行させることを特徴とする請求項８に記載の簡易操作型無線データ送受信プログラム。
【請求項１３】
前記コンピュータは、前記Ｗｉ−Ｆｉ通信接続条件データを記憶するＮＦＣデータ記憶部を具備するＩＣカードをさらに備え、
前記第１コンピュータの前記制御部に、該第１コンピュータに対して、電源を供給するための操作、前記電子データを送受信するための操作、又は該第１コンピュータをアクセスポイント装置に指定する操作のいずれかが実行されたことに応じて、該第１コンピュータをアクセスポイント装置に指定させるステップと、
前記第２コンピュータの前記制御部に、該第２コンピュータの前記近接通信データリーダ／ライタ部に、前記第１コンピュータのＮＦＣデータ記憶部に記憶された前記Ｗｉ−Ｆｉ通信接続条件データを受信させるステップと、をコンピュータに実行させることを特徴とする請求項８に記載の簡易操作型無線データ送受信プログラム。
【請求項１４】
前記コンピュータとして、第３コンピュータをさらに備え、
前記第１コンピュータ乃至前記第３コンピュータは、前記Ｗｉ−Ｆｉ通信接続条件データを記憶するＮＦＣデータ記憶部を具備するＩＣカードを備え、
前記第３コンピュータの前記制御部に、該第３コンピュータの前記近接通信データリーダ／ライタ部に、前記第１コンピュータのＮＦＣデータ記憶部に記憶された前記Ｗｉ−Ｆｉ通信接続条件データを受信させるステップと、
前記第２コンピュータの前記制御部に、該第２コンピュータの前記近接通信データリーダ／ライタ部に、前記第３コンピュータの前記ＮＦＣデータ記憶部に記憶された前記Ｗｉ−Ｆｉ通信接続条件データを受信させるステップと、をコンピュータに実行させることを特徴とする請求項８に記載の簡易操作型無線データ送受信プログラム。
【手続補正２】
【補正対象書類名】明細書
【補正対象項目名】００１３
【補正方法】変更
【補正の内容】
【００１３】
上記の目的を達成するために本発明は、第１電子装置と第２電子装置からなる複数の電子装置の間で、Ｗｉ−Ｆｉインフラストラクチャモードの無線通信方式により電子データを送受信する簡易操作型無線データ送受信システムにおいて、電子装置は、ユーザの操作を検出するユーザ操作検出部と、電子データを記憶するデータ記憶部と、電子データのタイトル又は電子データに関連付けられたアイコンを表示するデータ表示部と、装置全体を制御する制御部と、装置全体を制御する制御プログラムを記憶する主記憶部と、無線により電子データを送受信するＷｉ−Ｆｉ無線送受信部と、第１電子装置及び第２電子装置で共通に使用されるＷｉ−Ｆｉ基礎接続データ及びＷｉ−Ｆｉ通信接続条件データを受信する近接通信データリーダ／ライタ部と、を備え、第２電子装置のＷｉ−Ｆｉ無線送受信部は、Ｗｉ−Ｆｉ通信接続条件データに含まれる無線ネットワーク識別子（ＳＳＩＤ）を第１電子装置に対して発信し、第１電子装置のＷｉ−Ｆｉ無線送受信部は、無線ネットワーク識別子を受信し、第２電子装置をクライアント装置に指定するためのクライアントＩＰアドレスを、第２電子装置に発信し、電子装置のユーザ操作検出部は、データ表示部に表示されたタイトル又はアイコンがユーザによって選択される操作と、タイトル又はアイコンに関連付けられた電子データを送信する送信操作とが実行されたことを検出し、電子装置の制御部は、ユーザ操作検出部が選択操作及び送信操作を検出したことに応じて、Ｗｉ−Ｆｉ無線送受信部に電子データを送受信させる。
【手続補正３】
【補正対象書類名】明細書
【補正対象項目名】００２７
【補正方法】変更
【補正の内容】
【００２７】
また、本発明は、上述の改良された発明において、第１コンピュータと第２コンピュータからなる複数のコンピュータ間で、Ｗｉ−Ｆｉインフラストラクチャモードの無線通信方式により電子データを送受信する簡易操作型無線データ送受信プログラムにおいて、コンピュータは、ユーザの操作を検出するユーザ操作検出部と、電子データを記憶するデータ記憶部と、電子データのタイトル又はアイコンを表示するデータ表示部と、装置全体を制御する制御部と、装置全体を制御する制御プログラムを記憶する主記憶部と、無線により電子データを送受信するＷｉ−Ｆｉ無線送受信部と、第１コンピュータ及び第２コンピュータで共通に使用されるＷｉ−Ｆｉ基礎接続データ及びＷｉ−Ｆｉ通信接続条件データを受信する近接通信データリーダ／ライタ部と、を備え、第２コンピュータのＷｉ−Ｆｉ無線送受信部に、Ｗｉ−Ｆｉ通信接続条件データに含まれる無線ネットワーク識別子（ＳＳＩＤ）を第１コンピュータに対して発信させるステップと、第１コンピュータの制御部に、第１コンピュータのＷｉ−Ｆｉ無線送受信部に、無線ネットワーク識別子を受信させ、第２コンピュータをクライアントコンピュータに指定するためのクライアントＩＰアドレスを、第２コンピュータに発信させるステップと、コンピュータの制御部に、ユーザ操作検出部に、データ表示部に表示されたタイトル又はアイコンがユーザによって選択される操作と、タイトル又はアイコンに関連付けられた電子データを送信する送信操作とが実行されたことを検出させるステップと、ユーザ操作検出部が選択操作及び送信操作を検出したことに応じて、Ｗｉ−Ｆｉ無線送受信部に電子データを送受信させるステップと、をコンピュータに実行させる。